(57)【要約】【課題】Ｗｅｂページ印刷において、印刷結果の視認性が良く、印刷にかかるコストを低減することができる画像形成システム、情報処理装置、Ｗｅｂページ印刷支援方法、及びＷｅｂページ印刷支援プログラムを提供する。【解決手段】Ｗｅｂページ印刷支援システム１は、Ｗｅｂページ１１を表示する表示手段１０２を有する情報処理装置１００と印刷要求に応じてＷｅｂページ１１を印刷する画像形成装置２００とが接続されるシステムであって、Ｗｅｂページ１１の画像定義データ５１iに基づいて、Ｗｅｂページ１１に所定の画像Iaが含まれるか否かを判定する画像判定手段４４と、判定結果に基づいて、Ｗｅｂページ１１のページデータ５１から画像定義データ５１iを削除する画像定義データ削除手段４５と、削除後のページデータ５１の印刷を情報処置装置１００から画像形成装置２００に要求する印刷要求手段３３とを有することを特徴とする。【選択図】図５
2009070169.tif 000002
【特許請求の範囲】
【請求項１】
Ｗｅｂページを表示する表示手段を有する情報処理装置と前記情報処理装置からの印刷要求に応じて前記Ｗｅｂページを印刷する画像形成装置とが接続される画像形成システムであって、
前記Ｗｅｂページに表示される画像に関する情報を定義する画像定義データに基づいて、前記Ｗｅｂページに所定の画像が含まれるか否かを判定する画像判定手段と、
前記画像判定手段による判定結果に基づいて、前記Ｗｅｂページのページデータから前記所定の画像を定義する前記画像定義データを削除する画像定義データ削除手段と、
前記情報処置装置から前記画像形成装置へ、前記画像定義データ削除手段により前記画像定義データが削除された前記ページデータの印刷を要求する印刷要求手段とを有することを特徴とする画像形成システム。
【請求項２】
前記情報処理装置は、
前記Ｗｅｂページのページデータを取得するページデータ取得手段と、
所定の文字列を検索キーに、前記ページデータ取得手段により取得した前記ページデータを検索し、前記ページデータ内に定義された前記画像定義データを抽出する画像定義データ検索手段とを有することを特徴とする請求項１に記載の画像形成システム。
【請求項３】
前記情報処理装置は、
印刷要求元となるアプリケーションソフトウェアが、Ｗｅｂブラウザか否かを判定する印刷要求元判定手段を有し、
前記ページデータ取得手段は、
前記印刷要求元判定手段により前記印刷要求元が前記Ｗｅｂブラウザであると判定された場合に、
前記ページデータを取得することを特徴とする請求項２に記載の画像形成システム。
【請求項４】
前記画像定義データ削除手段は、
前記画像定義データ検索手段により検索され抽出された前記画像定義データのうち、前記画像判定手段により判定された前記所定の画像を定義する画像定義データを、前記ページデータから削除することを特徴とする請求項１ないし３のいずれか一項に記載の画像形成システム。
【請求項５】
前記情報処理装置は、
前記Ｗｅｂページに所定の画像が含まれるか否かを判定するときの判定条件を設定する判定条件設定手段を有し、
前記画像判定手段は、
前記判定条件設定手段により設定された前記判定条件に基づいて、前記Ｗｅｂページに所定の画像が含まれるか否かを判定することを特徴とする請求項１ないし５のいずれか一項に記載の画像形成システム。
【請求項６】
前記画像判定手段は、
前記画像定義データに定義された画像データの格納先に基づいて、前記Ｗｅｂページに表示される画像に前記所定の画像が含まれているか否かを判定することを特徴とする請求項１ないし５のいずれか一項に記載の画像形成システム。
【請求項７】
前記画像判定手段は、
前記画像定義データに定義された画像データの内容を示す文字列に基づいて、前記Ｗｅｂページに表示される画像に前記所定の画像が含まれているか否かを判定することを特徴とする請求項１ないし５のいずれか一項に記載の画像形成システム。
【請求項８】
前記画像判定手段は、
前記画像定義データに定義された画像データの横幅及び／又は縦幅に基づいて、前記Ｗｅｂページに表示される画像に前記所定の画像が含まれているか否かを判定することを特徴とする請求項１ないし５のいずれか一項に記載の画像形成システム。
【請求項９】
前記画像判定手段は、
前記画像定義データ検索手段により検索され抽出された前記画像定義データによって前記Ｗｅｂページに表示される画像の全てを前記所定の画像として判定することを特徴とする請求項１ないし５のいずれか一項に記載の画像形成システム。
【請求項１０】
印刷要求に応じてＷｅｂページを印刷する画像形成装置と接続される、前記Ｗｅｂページを表示する表示手段を有し、前記表示手段により表示された前記Ｗｅｂページを前記画像形成装置に印刷要求する情報処理装置であって、
前記Ｗｅｂページに表示される画像に関する情報を定義する画像定義データに基づいて、前記Ｗｅｂページに所定の画像が含まれるか否かを判定する画像判定手段と、
前記画像判定手段による判定結果に基づいて、前記Ｗｅｂページのページデータから前記所定の画像を定義する前記画像定義データを削除する画像定義データ削除手段と、
前記画像定義データ削除手段により前記画像定義データが削除された前記ページデータの印刷を前記画像形成装置に要求する印刷要求手段とを有することを特徴とする情報処理装置。
【請求項１１】
印刷要求に応じてＷｅｂページを印刷する画像形成装置と接続される、前記Ｗｅｂページを表示する表示手段を有し、前記表示手段により表示された前記Ｗｅｂページを前記画像形成装置に印刷要求する情報処理装置におけるＷｅｂページ印刷支援方法であって、
前記Ｗｅｂページに表示される画像に関する情報を定義する画像定義データに基づいて、前記Ｗｅｂページに所定の画像が含まれるか否かを判定する画像判定手順と、
前記画像判定手順による判定結果に基づいて、前記Ｗｅｂページのページデータから前記所定の画像を定義する前記画像定義データを削除する画像定義データ削除手順と、
前記画像定義データ削除手順により前記画像定義データが削除された前記ページデータの印刷を前記画像形成装置に要求する印刷要求手順とを有することを特徴とするＷｅｂページ印刷支援方法。
【請求項１２】
印刷要求に応じてＷｅｂページを印刷する画像形成装置と接続される、前記Ｗｅｂページを表示する表示手段を有し、前記表示手段により表示された前記Ｗｅｂページを前記画像形成装置に印刷要求する情報処理装置におけるＷｅｂページ印刷支援プログラムであって、
コンピュータを、
前記Ｗｅｂページに表示される画像に関する情報を定義する画像定義データに基づいて、前記Ｗｅｂページに所定の画像が含まれるか否かを判定する画像判定手段と、
前記画像判定手段による判定結果に基づいて、前記Ｗｅｂページのページデータから前記所定の画像を定義する前記画像定義データを削除する画像定義データ削除手段と、
前記画像定義データ削除手段により前記画像定義データが削除された前記ページデータの印刷を前記画像形成装置に要求する印刷要求手段として機能させるＷｅｂページ印刷支援プログラム。
【発明の詳細な説明】
【技術分野】
【０００１】
本発明は、Ｗｅｂページを閲覧する情報処理装置から印刷要求を画像形成装置に対して行い、印刷要求に応じて画像形成装置がＷｅｂページを印刷する画像形成システム、情報処理装置、Ｗｅｂページ印刷支援方法、及びＷｅｂページ印刷支援プログラムに関するものである。
【背景技術】
【０００２】
従来、Ｗｅｂブラウザから閲覧しているＷｅｂページの印刷を行うと、Ｗｅｂページの作成者が印刷されることを考慮してページデータを作成していないなどの問題から、Ｗｅｂブラウザの印刷プレビューに表示されるように、紙などの記録紙の印刷領域内にページ全体が収まらず、ページの一部が印刷されないという問題があった。
【０００３】
そこで、特許文献１には、「Ｗｅｂページに含まれる画像やテキストを、印刷する記録紙のサイズに応じて適切な大きさとなるようにＷｅｂページを再構成し、印刷用のデータとして画像形成装置に送信する」というＷｅｂページ印刷支援システムが開示されており、このようなシステムを用いることで、ユーザは、印刷されることを考慮して作成されてないＷｅｂページであっても、見栄えの良い印刷結果を得ることができる。
【０００４】
現在、インターネット上に公開されているＷｅｂページは、ネットワークや情報処理装置の普及に伴い、広告メディアの１つとして活用されている。例えば、Ｗｅｂページに広告画像を貼り、広告主のＷｅｂサイトにリンクする方法であるバナー広告などがその代表的なものである。
【０００５】
特許文献１に挙げるＷｅｂページ印刷支援システムでは、上記のような広告画像を含む様々なコンテンツにより複雑に構成されるＷｅｂページに対しても、システムが有する記録紙のサイズに応じたＷｅｂページ再構築機能によって、記録紙の印刷領域内にＷｅｂページ全体が印刷され、見栄えの良い印刷結果を得ることができる。
【特許文献１】特開２００７−１８２８７号公報
【発明の開示】
【発明が解決しようとする課題】
【０００６】
しかしながら、特許文献１に挙げるＷｅｂページ印刷支援システムでは、ユーザにとって必要な情報である画像のほかに、本来であれば印刷する必要のない広告画像のような不要な画像も印刷されてしまい、かえって必要な情報が見づらいという問題、更には不要な画像を印刷してしまうことによる余分なトナー消費や、必要以上の印刷枚数による紙資源の消費に繋がるという問題がある。
【０００７】
このように、従来のＷｅｂページ印刷支援システムでは、Ｗｅｂページを印刷したときの見栄えの良さについては考慮されているが、「必要な情報をいかに見やすい形で印刷するか（視認性の向上）」や「印刷にかかるコストをいかに削減するか（低コスト）」などの点については考慮されておらず、必ずしもユーザの所望するＷｅｂページ印刷サービスを提供できているとは言えない。
【０００８】
本発明では、上記従来技術の問題点に鑑み、Ｗｅｂページ印刷において、印刷結果の視認性が良く、印刷にかかるコストを低減することができる画像形成システム、情報処理装置、Ｗｅｂページ印刷支援方法、及びＷｅｂページ印刷支援プログラムを提供することを目的とする。
【課題を解決するための手段】
【０００９】
上記目的を達成するため、本発明の画像形成システムは、Ｗｅｂページを表示する表示手段を有する情報処理装置と前記情報処理装置からの印刷要求に応じて前記Ｗｅｂページを印刷する画像形成装置とが接続される画像形成システムであって、前記Ｗｅｂページに表示される画像に関する情報を定義する画像定義データに基づいて、前記Ｗｅｂページに所定の画像が含まれるか否かを判定する画像判定手段と、前記画像判定手段による判定結果に基づいて、前記Ｗｅｂページのページデータから前記所定の画像を定義する前記画像定義データを削除する画像定義データ削除手段と、前記情報処置装置から前記画像形成装置へ、前記画像定義データ削除手段により前記画像定義データが削除された前記ページデータの印刷を要求する印刷要求手段とを有することを特徴とする。
【００１０】
また、上記目的を達成するため、本発明の画像形成システムは、前記情報処理装置が、前記Ｗｅｂページのページデータを取得するページデータ取得手段と、所定の文字列を検索キーに、前記ページデータ取得手段により取得した前記ページデータを検索し、前記ページデータ内に定義された前記画像定義データを抽出する画像定義データ検索手段とを有することを特徴とする。
【００１１】
また、上記目的を達成するため、本発明の画像形成システムは、前記情報処理装置が、印刷要求元となるアプリケーションソフトウェアが、Ｗｅｂブラウザか否かを判定する印刷要求元判定手段を有し、前記ページデータ取得手段において、前記印刷要求元判定手段により前記印刷要求元が前記Ｗｅｂブラウザであると判定された場合に、前記ページデータを取得することを特徴とする。
【００１２】
また、上記目的を達成するため、本発明の画像形成システムは、前記画像定義データ削除手段において、前記画像定義データ検索手段により検索され抽出された前記画像定義データのうち、前記画像判定手段により判定された前記所定の画像を定義する画像定義データを、前記ページデータから削除することを特徴とする。
【００１３】
また、上記目的を達成するため、本発明の画像形成システムは、前記情報処理装置が、前記Ｗｅｂページに所定の画像が含まれるか否かを判定するときの判定条件を設定する判定条件設定手段を有し、前記画像判定手段において、前記判定条件設定手段により設定された前記判定条件に基づいて、前記Ｗｅｂページに所定の画像が含まれるか否かを判定することを特徴とする。
【００１４】
また、上記目的を達成するため、本発明の画像形成システムは、前記画像判定手段において、前記画像定義データに定義された画像データの格納先に基づいて、前記Ｗｅｂページに表示される画像に前記所定の画像が含まれているか否かを判定することを特徴とする。
【００１５】
また、上記目的を達成するため、本発明の画像形成システムは、前記画像判定手段において、前記画像定義データに定義された画像データの内容を示す文字列に基づいて、前記Ｗｅｂページに表示される画像に前記所定の画像が含まれているか否かを判定することを特徴とする。
【００１６】
また、上記目的を達成するため、本発明の画像形成システムは、前記画像判定手段において、前記画像定義データに定義された画像データの横幅及び／又は縦幅に基づいて、前記Ｗｅｂページに表示される画像に前記所定の画像が含まれているか否かを判定することを特徴とする。
【００１７】
また、上記目的を達成するため、本発明の画像形成システムは、前記画像判定手段において、前記画像定義データ検索手段により検索され抽出された前記画像定義データによって前記Ｗｅｂページに表示される画像の全てを前記所定の画像として判定することを特徴とする。
【００１８】
これによって、本発明の画像形成システムは、Ｗｅｂページに表示される画像に関する情報を定義する画像定義データに基づいて、所定の判定条件に従い、Ｗｅｂページに不要な画像が含まれているか否かを判定し、Ｗｅｂページに不要な画像があった場合に、Ｗｅｂページのページデータから不要な画像を定義する画像定義データを削除し、削除後のページデータの印刷を画像形成装置に要求する構成としたことにより、Ｗｅｂページ印刷において、印刷結果の視認性が良く（必要な情報で構成された印刷結果が得られ）、印刷にかかるコストを低減する（不要な画像印刷にかかる余分なトナーや紙資源を低減する）ことができる。
【００１９】
上記目的を達成するため、本発明の情報処理装置は、印刷要求に応じてＷｅｂページを印刷する画像形成装置と接続される、前記Ｗｅｂページを表示する表示手段を有し、前記表示手段により表示された前記Ｗｅｂページを前記画像形成装置に印刷要求する情報処理装置であって、前記Ｗｅｂページに表示される画像に関する情報を定義する画像定義データに基づいて、前記Ｗｅｂページに所定の画像が含まれるか否かを判定する画像判定手段と、前記画像判定手段による判定結果に基づいて、前記Ｗｅｂページのページデータから前記所定の画像を定義する前記画像定義データを削除する画像定義データ削除手段と、前記画像定義データ削除手段により前記画像定義データが削除された前記ページデータの印刷を前記画像形成装置に要求する印刷要求手段とを有することを特徴とする。
【００２０】
これによって、本発明の情報処理装置は、Ｗｅｂページ印刷において、印刷結果の視認性が良く（必要な情報で構成された印刷結果が得られ）、印刷にかかるコストを低減する（不要な画像印刷にかかる余分なトナーや紙資源を低減する）ことができる。
【００２１】
上記目的を達成するため、本発明のＷｅｂページ印刷支援方法は、印刷要求に応じてＷｅｂページを印刷する画像形成装置と接続される、前記Ｗｅｂページを表示する表示手段を有し、前記表示手段により表示された前記Ｗｅｂページを前記画像形成装置に印刷要求する情報処理装置におけるＷｅｂページ印刷支援方法であって、前記Ｗｅｂページに表示される画像に関する情報を定義する画像定義データに基づいて、前記Ｗｅｂページに所定の画像が含まれるか否かを判定する画像判定手順と、前記画像判定手順による判定結果に基づいて、前記Ｗｅｂページのページデータから前記所定の画像を定義する前記画像定義データを削除する画像定義データ削除手順と、前記画像定義データ削除手順により前記画像定義データが削除された前記ページデータの印刷を前記画像形成装置に要求する印刷要求手順とを有することを特徴とする。
【００２２】
これによって、本発明のＷｅｂページ印刷支援方法は、Ｗｅｂページに表示される画像に関する情報を定義する画像定義データに基づいて、所定の判定条件に従い、Ｗｅｂページに不要な画像が含まれているか否かを判定し、Ｗｅｂページに不要な画像があった場合に、Ｗｅｂページのページデータから不要な画像を定義する画像定義データを削除し、削除後のページデータの印刷を画像形成装置に要求することができる。
【００２３】
よって、本発明のＷｅｂページ印刷支援方法は、Ｗｅｂページ印刷において、印刷結果の視認性が良く（必要な情報で構成された印刷結果が得られ）、印刷にかかるコストを低減する（不要な画像印刷にかかる余分なトナーや紙資源を低減する）ことができる。
【００２４】
上記目的を達成するため、本発明のＷｅｂページ印刷支援プログラムは、印刷要求に応じてＷｅｂページを印刷する画像形成装置と接続される、前記Ｗｅｂページを表示する表示手段を有し、前記表示手段により表示された前記Ｗｅｂページを前記画像形成装置に印刷要求する情報処理装置におけるＷｅｂページ印刷支援プログラムであって、コンピュータを、前記Ｗｅｂページに表示される画像に関する情報を定義する画像定義データに基づいて、前記Ｗｅｂページに所定の画像が含まれるか否かを判定する画像判定手段と、前記画像判定手段による判定結果に基づいて、前記Ｗｅｂページのページデータから前記所定の画像を定義する前記画像定義データを削除する画像定義データ削除手段と、前記画像定義データ削除手段により前記画像定義データが削除された前記ページデータの印刷を前記画像形成装置に要求する印刷要求手段として機能させる。
【００２５】
これによって、本発明のＷｅｂ印刷支援プログラムは、コンピュータを、Ｗｅｂページに表示される画像に関する情報を定義する画像定義データに基づいて、所定の判定条件に従い、Ｗｅｂページに不要な画像が含まれているか否かを判定し、Ｗｅｂページに不要な画像があった場合に、Ｗｅｂページのページデータから不要な画像を定義する画像定義データを削除し、削除後のページデータの印刷を画像形成装置に要求するように機能させることができる。
【００２６】
よって、本発明のＷｅｂ印刷支援プログラムは、画像形成システムにおける画像形成装置において、印刷結果の視認性が良く、印刷にかかるコストを低減することができるＷｅｂページ印刷機能を実現することができる。
【発明の効果】
【００２７】
本発明によれば、Ｗｅｂページ印刷において、印刷結果の視認性が良く、印刷にかかるコストを低減することができる画像形成システム、情報処理装置、Ｗｅｂページ印刷支援方法、及びＷｅｂページ印刷支援プログラムを提供することができる。
【発明を実施するための最良の形態】
【００２８】
以下、本発明の好適な実施の形態（以下、「実施形態」という。）について、図面を用いて詳細に説明する。
【００２９】
［第１の実施形態］
＜システム構成＞
まず、本実施形態に係る画像形成システム１のシステム構成について、図１を用いて説明する。図１は、本発明の第１の実施形態に係る画像形成システム１のシステム構成の一例を示す図である。
【００３０】
本実施形態に係る画像形成システム１は、例えば、図１に示すように、Ｗｅｂページを表示する表示手段（後述する表示装置）を有し、ユーザがＷｅｂページを閲覧するときに使用する端末である情報処置装置１００と、情報処理装置１００からの印刷要求に応じてＷｅｂページを印刷する画像形成装置２００とが、印刷データを通信可能なデータ伝送路９０で接続されることにより構成される。これら情報処理装置１００と画像形成装置２００とを接続するデータ伝送路９０は、例えば、ＵＳＢ（Universal Serial Bus）ケーブルやネットワークケーブルなどである。但し、これらの手段に限らず、情報処理装置１００と画像形成装置２００とが、有線及び／又は無線回線により構築されたＬＡＮ（Local Area Network）やＷＡＮ（Wide Area Network）などのネットワーク（データ通信網）を介して接続される構成としても良く、画像形成システム１が互いの装置間で印刷データなどのデータ通信を行える手段を有していれば良い。
【００３１】
＜＜ハードウェア構成＞＞
では、本実施形態に係る画像形成システム１を構成する情報処理装置１００と画像形成装置２００とのハードウェア構成について、図２及び図３を用いて説明する。
【００３２】
［情報処理装置（端末）］
図２は、本発明の第１の実施形態に係る情報処理装置１００のハードウェア構成の一例を示す図である。
【００３３】
本実施形態に係る情報処理装置１００は、入力装置１０１と、表示装置１０２と、ドライブ装置１０３と、記録媒体１０４と、ＲＯＭ（Read Only Memory）１０５と、ＲＡＭ（Random Access Memory）１０６と、ＣＰＵ（Central Processing Unit）１０７と、インタフェース装置１０８と、ＨＤＤ（Hard Disk Drive）１０９とから構成され、それぞれバスで相互に接続されている。
【００３４】
入力装置１０１は、キーボード及びマウスなどで構成され、情報処理装置１００に各操作信号を入力するのに用いられる。表示装置１０２は、ディスプレイ（表示手段）などで構成され、例えばＷｅｂブラウザを介してＷｅｂページを表示する。インタフェース装置１０８は、情報処理装置１００をネットワークなどのデータ伝送路９０に接続するインタフェースである。ＨＤＤ１０９は、基本ソフトウェアであるＯＳ（Operating System）や、本実施形態に係るＷｅｂページ印刷支援機能やＷｅｂブラウザなどを含む各種機能を実現するアプリケーションソフトウェアなどに関するプログラムやデータを格納している。また、ＨＤＤ１０９は、本実施形態に係るＷｅｂページ印刷支援機能で用いる不要画像判定条件データを含む各種データを、所定のファイルシステムやＤＢにより管理している。
【００３５】
本実施形態に係るＷｅｂページ印刷機能を実現するためのＷｅｂページ印刷支援プログラムは、例えばＣＤ−ＲＯＭなどの記録媒体１０４によって情報処理装置１００に提供されるか、データ伝送路９０であるネットワークなどを通じてダウンロードされる。記録媒体１０４は、ドライブ装置１０３にセットされＷｅｂページ印刷支援プログラムが記録媒体１０４からドライブ装置１０３を介してＨＤＤ１０９にインストールされる。
【００３６】
ＲＯＭ１０５は、情報処理装置１００が起動されるときに実行されるＢＩＯＳ（Basic Input/Output System）のプログラムや各種データを格納している。ＲＡＭ１０６は、ＲＯＭ１０５やＨＤＤ１０９から読み出された各種プログラムやデータを一時保持する。ＣＰＵ１０７は、ＲＡＭ１０６が一時保持しているプログラムを実行する。
【００３７】
［画像形成装置］
図３は、本発明の第１の実施形態に係る画像形成装置２００のハードウェア構成の一例を示す図である。
【００３８】
本実施形態に係る画像形成装置２００は、操作パネル２１と、記憶メディアＩ／Ｆ２２と、コントローラ２３と、データ通信Ｉ／Ｆ２４と、ＨＤＤ２０９と、スキャナ２５と、プロッタ２６とから構成され、それぞれバスで相互に接続されている。
【００３９】
操作パネル２１は、入力装置２０１と表示装置２０２とを有しており、入力装置２０１は、ハードウェアキーなどで構成され、画像形成装置２００に各操作信号を入力するのに用いられる。また、表示装置２０２は、ディスプレイなどで構成され、例えば画像形成動作に関する各種情報を表示する。データ通信Ｉ／Ｆ２４は、インタフェース装置２０８を有しており、画像処理装置２００をネットワークなどのデータ伝送路９０に接続するインタフェースである。ＨＤＤ２０９は、画像形成装置２００で取り扱われる受信文書データや読み取り画像データなどの各種データを格納している。また、ＨＤＤ２０９は、これらの各種データを、所定のファイルシステムやＤＢにより管理している。
【００４０】
上記ＨＤＤ２０９に格納される各種データの中には、例えば、デジタルカメラなどの外部機器によって記録された電子データも含まれる。このような場合には、メモリカードなどの記録媒体２０４によって画像形成装置２００に提供されるか、データ伝送路９０であるネットワークなどを通じてアップロードされる。記録媒体２０４は、記憶メディアＩ／Ｆ２２が有するドライブ装置２０３にセットされ各種データが記録媒体２０４からドライブ装置２０３を介してＨＤＤ２０９に格納される。
【００４１】
コントローラ２３は、ＲＯＭ２０５、ＲＡＭ２０６、及びＣＰＵ２０７とを有しており、ＲＯＭ２０５は、画像形成装置２００が起動されるときに実行されるプログラムや各種データを格納している。また、ＲＡＭ２０６は、ＲＯＭ２０５やＨＤＤ２０９から読み出された各種プログラムやデータを一時保持する。更に、ＣＰＵ２０７は、ＲＡＭ２０６が一時保持しているプログラムを実行する。コントローラ２３は、例えば、データ通信Ｉ／Ｆ２４を介して印刷データを受信した場合に、ＲＯＭ２０５からＲＡＭ２０６上に読み出されたＰＤＬ（Page Description Language）を解釈可能なプログラム（ＰＤＬパーサ）をＣＰＵ２０７により実行し、印刷データを解釈してビットマップイメージを生成する。
【００４２】
スキャナ２５は、画像読取装置２１０を有しており、読み取り面に配置された原稿を光学的に読み取り画像データを生成する。プロッタ２６は、印刷装置２１１を有しており、例えば、電子写真プロセス方式によってビットマップイメージを記録紙に印刷する。
【００４３】
このように、本実施形態に係る画像形成システム１では、情報処理装置１００によって、ＲＡＭ１０６に読み出されたＷｅｂページ印刷支援プログラムがＣＰＵ１０７で実行され、ＨＤＤ１０９に格納された不要画像判定条件データを参照し、所定の判定条件に従って、Ｗｅｂページのページデータから不要な画像を定義する画像定義データを削除し、削除後のページデータの印刷データをインタフェース装置１０８を介して画像形成装置２００に送信している。
【００４４】
また、本実施形態に係る画像形成システム１では、画像形成装置２００によって、コントローラ２３のＲＡＭ２０６に読み出されたＰＤＬを解釈可能なプログラムがＣＰＵ２０７で実行され、上記情報処理装置１００から受信した印刷データからビットマップイメージを生成し、生成したビットマップデータがバスを介してプロッタ２６へ転送され、Ｗｅｂページの印刷を行っている。
【００４５】
＜＜ソフトウェア構成＞＞
次に、本実施形態に係る画像形成システム１のソフトウェア構成について、図５を用いて説明する。
【００４６】
［情報処理装置（端末）］
本実施形態に係る情報処理装置１００では、主に、Ｗｅｂページを閲覧するアプリケーションソフトウェアであるＷｅｂブラウザ３１と、Ｗｅｂページに表示される広告画像などの不要な画像を削除する不要画像削除プログラム３２と、プリケーションソフトウェアにより生成されたアプリケーションデータを基に画像形成装置２００が解釈可能な印刷データを生成し画像形成装置２００へ送信するプリンタドライバ３３とが、ＣＰＵ１０７により実行されＯＳ上で動作している。
【００４７】
［画像形成装置］
本実施形態に係る画像形成装置２００では、主に、ＰＤＬで記述された印刷データを解釈するＰＤＬパーサ（図示せず）が、コントローラ２３のＣＰＵ２０７により実行され動作している。
【００４８】
［動作概要］
本実施形態に係る画像形成システム１では、上記のようなソフトウェア構成を有し、以下に示す手順によって、Ｗｅｂページの印刷を行っている。
【００４９】
（手順１）ユーザからの印刷要求指示の受け付け
情報処理装置１００は、Ｗｅｂブラウザ３１により、ＧＵＩ（Graphical User Interface）を介して受け付けたユーザからの印刷要求指示を、不要画像削除プログラム３２へ転送する。
【００５０】
（手順２）不要な画像の削除
情報処理装置１００は、不要画像削除プログラム３２により、Ｗｅｂブラウザ３１を含むアプリケーションソフトウェアからの印刷要求指示を受け付けると、印刷要求元がＷｅｂブラウザ３１か否かを判断し、印刷要求元がＷｅｂブラウザ３１であった場合に、Ｗｅｂページのページデータ（例えばＨＴＭＬ（HyperText Markup Language）データなど）を取得する。不要画像削除プログラム３２は、取得したページデータに含まれるＷｅｂページに表示される画像に関する情報を定義する画像定義データに基づいて、所定の判定条件に従い、Ｗｅｂページに不要な画像が含まれているか否かを判断する。その結果、不要画像削除プログラム３２は、Ｗｅｂページに不要な画像があると判断した場合に、ページデータから不要な画像を定義する画像定義データを削除し、削除後のページデータを印刷要求とともにプリンタドライバ３３へ転送する。
【００５１】
（手順３）印刷データの生成及び送信
情報処理装置１００は、プリンタドライバ３３により、不要画像削除プログラム３２において不要な画像を定義する画像定義データが削除されたページデータを受け取ると、ページデータを基に画像形成装置２００が有するＰＤＬパーサが解釈可能なＰＤＬで記述された印刷データを生成し、印刷要求とともに生成した印刷データを画像形成装置２００へ送信する。
【００５２】
（手順４）印刷
画像形成装置２００は、情報処理装置１００から送信された印刷データを受信すると、ＰＤＬパーサにより印刷データを解釈してビットマップイメージを生成し、生成したビットマップイメージをプロッタ２６へ転送される。その結果、画像形成装置１００は、プロッタ２６によりビットマップイメージを記録紙に印刷する。
【００５３】
このように、本実施形態に係る画像形成システム１は、上記（手順１）〜（手順４）によって、印刷結果の視認性が良く、印刷にかかるコストを低減するＷｅｂページ印刷を行うと言う「Ｗｅｂページ印刷支援機能」を実現している。
【００５４】
＜Ｗｅｂページ印刷支援機能＞
次に、本実施形態に係る画像形成システム１が有する「Ｗｅｂページ印刷支援機能」を実現する各手段について、図５を用いて説明する。図５は、本発明の第１の実施形態に係る画像形成システム１が有するＷｅｂページ印刷支援機能を実現する手段の一例を示す図である。
【００５５】
＜＜実現手段構成の概要＞＞
本実施形態に係る画像形成システム１は、主に、Ｗｅｂページに表示される画像のうち、削除対象となる不要な画像が含まれているか否かを判定する画像判定手段４４と、削除対象となる不要な画像を定義する画像定義データをＷｅｂページのページデータから削除する画像定義データ削除手段４５と、不要な画像を定義する画像定義データを削除したページデータの印刷を画像形成装置２００に要求する印刷要求手段３３とから構成され、更には、印刷要求をしたアプリケーションソフトウェアがＷｅｂブラウザ３１か否かを判定する印刷要求元判定手段４１と、Ｗｅｂページのページデータを取得するページデータ取得手段４２と、ページデータ内に定義されたＷｅｂページに表示される画像に関する情報である画像定義データを検索し抽出する画像定義データ検索手段４３と、Ｗｅｂページに不要な画像が含まれているか否かを判定するときの判定条件を設定する判定条件設定手段４６とを有している。以下に、上記各手段について簡単に説明する。
【００５６】
画像判定手段４４は、Ｗｅｂページに表示される画像に関する情報を定義する画像定義データに基づいて、Ｗｅｂページに所定の画像が含まれるか否かを判定する手段である。ここで言う「所定の画像」とは、広告画像などのような不要な画像を意味する。
【００５７】
画像定義データ削除手段４５は、画像判定手段４４による判定結果に基づいて、Ｗｅｂページのページデータから不要な画像（所定の画像）を定義する画像定義データを削除する手段である。
【００５８】
印刷要求手段３３は、情報処置装置１００から画像形成装置２００へ、画像定義データ削除手段４５により不要な画像を定義する画像定義データが削除されたページデータの印刷を要求する手段である。
【００５９】
また、印刷要求元判定手段４１は、情報処理装置１００が有するアプリケーションソフトウェアのうち、印刷要求したアプリケーションソフトウェアが、Ｗｅｂブラウザ３１か否かを判定する手段である。
【００６０】
ページデータ取得手段４２は、印刷対象のＷｅｂページのページデータをＷｅｂブラウザ３１から取得する手段である。
【００６１】
画像定義データ検索手段４３は、所定の文字列を検索キーに、ページデータ取得手段４２により取得したページデータを検索し、ページデータ内に定義された画像定義データを抽出する手段である。ここで言う「所定の文字列」とは、例えば、Ｗｅｂページに表示する画像をページデータ内に定義するときに用いる画像タグ（ＩＭＧタグ）などの文字列を意味する。
【００６２】
判定条件設定手段４６は、Ｗｅｂページに不要な画像（所定の画像）が含まれるか否かを判定するときの判定条件を設定する手段である。
【００６３】
上記に挙げた各手段のうち、印刷要求元判定手段４１と、ページデータ取得手段４２と、画像定義データ検索手段４３と、画像判定手段４４と、及び画像定義データ削除手段４５は、図４に示した情報処理装置１００が有するソフトウェア構成要素の不要画像削除プログラム３２が有する手段で、不要画像削除プログラム３２をＣＰＵ１０７により実行することで実現する。また、上記に挙げた印刷要求手段３３は、プリンタドライバ３３が有する手段で、プリンタドライバ３３をＣＰＵ１０７により実行することで実現する。
【００６４】
＜＜機能動作の概要＞＞
次に、上記で説明を行った各手段によって、本実施形態に係る画像形成システム１が有する「Ｗｅｂページ印刷支援機能」をどのように動作させているかについて以下にその概要を説明する。
【００６５】
（動作手順１）印刷要求元の確認
本実施形態に係る情報処理装置１００は、まず、印刷要求元判定手段４１により、不要画像削除プログラム３２で受け付けた印刷要求が、Ｗｅｂブラウザ３１から要求されたものか否かを確認する。すなわち、印刷要求元がＷｅｂブラウザ３１か別のアプリケーションソフトウェアＡＰか否かを判定する。印刷要求元判定手段４１は、印刷要求元がＷｅｂブラウザ３１以外の別のアプリケーションＡＰであると判定した場合に、印刷要求とともに受け付けたアプリケーションデータを、印刷要求手段（プリンタドライバ）３３に転送する。
【００６６】
（動作手順２）ページデータの取得
情報処理装置１００は、印刷要求元判定手段４１により印刷要求元がＷｅｂブラウザ３１であると判定した場合に、ページデータ取得手段４２により、Ｗｅｂブラウザ３１から印刷対象となるＷｅｂページのページデータを取得する。
【００６７】
（動作手順３）画像定義データの抽出
情報処理装置１００は、画像定義データ検索手段４３により、画像タグ（ＩＭＧタグ）などの文字列を検索キーに、ページデータ取得手段４２により取得したページデータを検索し、該当した画像定義データを抽出する。抽出した画像定義データは、以降の画像定義データ削除手段４５により不要な画像を定義する画像定義データとして削除する画像定義データの候補である。
【００６８】
（動作手順４）不要画像の判定と不要画像定義データの特定
情報処理装置１００は、画像判定手段４４により、画像定義データ検索手段４３により抽出した画像定義データに基づいて、Ｗｅｂページに不要な画像が含まれているか否かを判定する。このとき、画像判定手段４４は、ＨＤＤ１０９に格納された不要画像判定条件データを参照し、判定条件設定手段４６により選択・設定された判定条件に従って、不要な画像が含まれているか否かを判定する。画像判定手段４１は、Ｗｅｂページに不要な画像が含まれていないと判定した場合に、印刷要求とともにＷｅｂブラウザ３１から受け付けたページデータを、印刷要求手段３３に転送する。
【００６９】
（動作手順５）不要画像定義データの削除
情報処理装置１００は、画像判定手段４４によりＷｅｂページに不要な画像が含まれていると判定した場合に、画像定義データ削除手段４５により、抽出した画像定義データの中から特定した不要な画像を定義する画像定義データをページデータから削除する。画像定義データ削除手段４５は、削除後のページデータを印刷要求手段３３に転送する。
【００７０】
（動作手順６）印刷データの生成と送信
情報処理装置１００は、印刷要求手段３３により、不要画像削除プログラム３２の印刷要求元判定手段４１、不要画像判定手段４４、及び画像定義データ削除手段４５から転送されたＷｅｂページのページデータを基に、印刷条件などの設定に従って画像形成装置２００が有するＰＤＬパーサが解釈可能な印刷データを生成し、生成した印刷データを画像形成装置２００へ送信する。
【００７１】
＜Ｗｅｂページ印刷支援機能の詳細＞
ここからは、本実施形態に係る情報処理装置１００が有する「Ｗｅｂページ印刷支援機能」について、図５に加えて、図６〜１０を用いて詳細に説明する。
【００７２】
＜＜Ｗｅｂページ＞＞
本実施形態に係る画像形成システム１が画像形成装置２００によって印刷を行うＷｅｂページについて簡単に説明しておく。
【００７３】
図６は、本発明の第１の実施形態に係るＷｅｂページ１１を表示した表示画面の一例を示す図である。
【００７４】
Ｗｅｂページ１１は、Ｗｅｂブラウザ３１を介して閲覧したときに、例えば、図６に示すようなページ構成で表示画面に表示される。Ｗｅｂページ１１には、公開された情報を示すテキストＴや画像Ｉaなどの他、バナー広告などの本来公開情報として不要な画像Ｉbなどが含まれている。
【００７５】
そこで、画像形成システム１が有する「Ｗｅｂページ印刷支援機能」では、Ｗｅｂページ１１から広告画像などのような不要な画像Ｉbを削除することによって、必要な情報のみが印刷され印刷結果の視認性が良く、印刷にかかるコストを低減する。
【００７６】
＜＜データ構成＞＞
まず、「Ｗｅｂページ印刷支援機能」の中で取り扱われるデータについて説明する。Ｗｅｂページ印刷支援機能では、主に、Ｗｅｂページ１１に表示される各コンテンツが構造化言語で定義されたページデータと、そのページデータの中で、画像に関する情報を定義している画像定義データと、不要な画像がＷｅｂページ１１に含まれているか否かを判定する判定条件である不要画像判定条件データとを用いて不要画像削除処理が行われる。ページデータと画像定義データとは、不要画像削除処理を行っている間、ＲＡＭ１０６上に読み出され一時保持され、不要画像判定条件データは、ＨＤＤ１０９に格納され、必要に応じてＲＡＭ１０６上に読み出され一時保持される。
【００７７】
［ページデータ］
図７は、本発明の第１の実施形態に係るページデータ５１と画像定義データ５１iのデータ構造の一例を示す図である。
【００７８】
ページデータ５１は、先の機能動作の概要において説明したように、ページデータ取得手段４２によりＷｅｂブラウザ３１から取得され、ＲＡＭ１０６上に一時保持される。ページデータ５１は、図７（a）のデータ構成例に示すように、Ｗｅｂブラウザ３１が解釈可能なＨＴＭＬなどの構造化言語によって記述されたデータである。このような言語によって記述されたページデータ５１では、「タグ」と呼ばれる文字列を用いてＷｅｂページ１１で公開する情報の論理構造や表示レイアウトなどを定義することができる。
【００７９】
［画像定義データ］
画像定義データ５１iは、図７（a）に示すように、ページデータ５１の中で、「画像タグ」（図中の「ＩＭＧタグ」）を用いて、Ｗｅｂページで公開する画像に関する情報を定義した文字列である。画像定義データ５１iには、図７（b）に示すように、画像に関する情報を属性値として定義することができる。図７（b）には、ファイルパスなどの文字列により公開する画像データの格納先を示す格納先情報５１ia（図中の「bird001.jpg」）と、ピクセル単位の数値により画像サイズの横幅・縦幅を示すサイズ情報５１ib（図中の「250,180」）と、任意の文字列により画像内容の説明や画像データ名などを示す画像情報５１ic（図中の「鳥の写真」）とを、言語仕様に従った各属性値（図中の「src」、「width,height」、及び「alt」。）として定義したデータ構成例を示している。
【００８０】
［不要画像判定条件データ］
図８は、本発明の第１の実施形態に係る不要画像判定条件データ６１のデータ構造の一例を示す図である。
【００８１】
不要画像判定条件データ６１は、図８に示すような、不要な画像Ibを判定するときの判定条件の内容を示す判定条件情報と判定条件に該当する画像の画像定義データを削除するか否かを示す削除有無情報とから構成され、ＨＤＤ１０９の所定の記憶領域に格納されている。図８には、「ページデータ５１に含まれる画像定義データ５１i全てを削除するか否か」の判定条件６１aと、「画像サイズの横幅及び／又は縦幅に基づいて該当する画像定義データ５１iを削除するか否か」の判定条件６１bの２種類の判定条件で構成されたデータ構成例が示されている。図８に示す不要画像判定条件データ６１のより具体的な内容は、以下に示す通りである。
【００８２】
（不要画像の判定条件例）
a.全ての画像タグ（ＩＭＧタグ）を削除対象として判定する
b.画像の横幅（ＷＩＤＴＨ属性）が所定の値である画像タグ（ＩＭＧタグ）を削除対象として判定する
c.画像の縦幅（ＨＥＩＧＨＴ属性）が所定の値である画像タグ（ＩＭＧタグ）を削除対象として判定する
d.画像の縦幅・横幅のどちらか一方（ＷＩＤＴＨ属性 又は ＨＥＩＧＨＴ属性）が所定の値である画像タグ（ＩＭＧタグ）を削除対象として判定する
e.画像の縦幅・横幅両方（ＷＩＤＴＨ属性 と ＨＥＩＧＨＴ属性）が所定の値である画像タグ（ＩＭＧタグ）を削除対象として判定する
f.縦幅・横幅に関わらず、長辺（ＷＩＤＴＨ属性とＨＥＩＧＨＴ属性の数値が大きい方）が所定の値と一致しない画像タグ（ＩＭＧタグ）を削除対象として判定する
g.縦幅・横幅に関わらず、短辺（ＷＩＤＴＨ属性とＨＥＩＧＨＴ属性の数値が小さい方）が所定の値と一致しない画像タグ（ＩＭＧタグ）を削除対象として判定する
上記「所定の値」は、不要な画像であるか否かを判定するための閾値として予め設定しておいた値である。
【００８３】
＜＜Ｗｅｂページ印刷支援機能を実現する手段＞＞
以降に、本実施形態に係る「Ｗｅｂページ印刷支援機能」を実現する主要な手段についての動作を、上記に説明を行った各データを用いて説明する。
【００８４】
［不要画像判定条件データの設定・更新］
本実施形態に係る画像形成システム１は、不要画像判定条件データ６１の削除有無情報を設定・更新する判定条件設定手段４６を有している。
【００８５】
図９は、本発明の第１の実施形態に係る不要画像判定条件を選択する選択画面７１の一例を示す図であり、図１０は、本発明の第１の実施形態に係る選択された不要画像判定条件の一例を示す図である。
【００８６】
判定条件設定手段４６は、例えば、図９に示すような判定条件を選択設定可能なＧＵＩ機能をもつ選択画面７１を介してユーザからの判定条件選択結果を受け付け、受け付けた選択結果を基に、ＨＤＤ１０９に格納されている不要画像判定条件データ６１の削除有無情報を更新する。
【００８７】
判定条件設定手段４６は、図９に示す選択画面７１の場合に、ユーザが、条件２の「画像の横・縦幅に基づいて不要画像を判定する」と言う種類の判定条件６１bのうち、「画像の横幅又は縦幅が所定の長さである場合」の内容が選択され（図中の黒丸）、選択画面７１の確定ボタンＢが押下されると、選択された判定条件の結果を受け付け、ＨＤＤ１０９に格納された不要画像判定条件データ６１を参照する。その結果、受け付けた選択結果を基に、該当する判定条件を判定条件情報から特定し、該当する判定条件情報に対応する削除有無情報を「削除しない」から「削除する」へ変更し、データを更新する。図１０には、図９に示す選択画面７１において選択・設定した判定条件に従って、判定条件設定手段４６により更新された不要画像判定条件データ６１のデータ構成例が示されており、図中の破線枠６１sに示すデータ領域の削除有無情報が「削除する」へ更新されている。
【００８８】
このように、本実施形態に係る画像形成システム１では、判定条件設定手段４６により、ユーザが、Ｗｅｂページに含まれる不要な画像Ibを判定するときに用いる判定条件を選択・設定することができる。その結果、ユーザが、自らが高い頻度で閲覧し印刷するＷｅｂページ１１のコンテンツ構成などを確認し、ある程度の自由度をもって不要な画像Ibの削除を行うことができる。
【００８９】
［画像定義データの抽出］
本実施形態に係る画像定義データ検索手段４３は、画像タグ（ＩＭＧタグ）などの文字列を検索キーに、ページデータ取得手段４２により取得したページデータ５１を検索し、該当した画像定義データ５１iを抽出する手段である。
【００９０】
画像定義データ検索手段４３は、例えば、図７（a）に示すページデータ５１の場合に、検索キーとして予め不揮発性の記憶装置に記憶しておいた画像タグ（ＩＭＧタグ）の文字列である"＜img src"を用いて、取得したページデータ５１を検索すると、図中の破線枠５１iに示すような画像に関する情報を定義する文字列"＜img src="bird001.jpg " width="250" height="180" alt="鳥の画像"＞"を画像定義データ５１iとして抽出する。このように抽出された画像定義データ５１iは、後述する画像判定手段４４により参照される。
【００９１】
［不要画像の判定と不要画像定義データの特定］
本実施形態に係る画像判定手段４４は、画像定義データ検索手段４３により抽出した画像定義データ５１iに基づいて、Ｗｅｂページ１１に不要な画像Ibが含まれているか否かを判定する手段である。画像判定手段４４は、以下に示す手順により不要な画像Ibを定義する画像定義データ５１iを特定する。
【００９２】
（特定する手順１）判定条件を取得
画像判定手段４４は、ＨＤＤ１０９の所定の記憶領域にアクセスし、上記に説明を行った判定条件設定手段４６により選択・設定され、削除有無情報が更新された不要画像判定条件データ６１を参照する。このとき、不要画像判定条件データ６１の削除有無情報が「削除する」と設定された判定条件情報を取得する。画像判定手段４４は、例えば、図１０に示す削除有無情報更新後の不要画像判定条件データ６１のデータ例の場合に、削除有無情報が「削除する」と設定された判定条件「画像の横幅又は縦幅が所定の長さである場合」を取得する。
【００９３】
（特定する手順２）削除対象となる画像定義データを特定
画像判定手段４４は、取得した判定条件に従って、画像定義データ取得手段４３により抽出したページデータ５１に含まれる全ての画像定義データ５１iから、判定条件に該当する画像定義データ５１iを特定する。このとき特定した画像定義データ５１iは不要な画像Ibの画像定義データ５１iとしてページデータ５１から削除される対象となる。
【００９４】
例えば、「画像の横幅又は縦幅が閾値であった場合に該当した画像定義データ５１iを削除する」と言う判定条件の場合、抽出した画像定義データ５１iに定義された画像サイズの横幅・縦幅を示すサイズ情報５１ibを参照し、予め設定しておいた閾値と比較し、値が一致する画像定義データ５１iを、削除対象となる不要な画像Ibを定義する画像定義データ５１iとして特定する。
【００９５】
これにより、本実施形態に係る画像形成システム１は、Ｗｅｂページ１１のページデータ５１に含まれる広告画像などの不要な画像Ibを、ユーザが選択・設定した所定の判定条件に従って特定することができる。
【００９６】
［不要画像定義データの削除］
本実施形態に係る画像定義データ削除手段４５は、画像判定手段４４によりＷｅｂページ１１に不要な画像Ibが含まれていると判定した場合に、抽出した画像定義データ５１iの中から特定した不要な画像Ibを定義する画像定義データ５１iをページデータ５１から削除する手段である。このとき、ページデータ５１から画像定義データ５１iを削除する方法としては、例えば、ページデータ５１内で削除対象となる画像定義データ５１iの文字列全て（１行分）を削除する方法や、画像定義データ５１iの画像データの格納先を示す情報５１iaの文字列をダミーの文字列に置き換える方法などがある。画像定義データ削除手段４５は、印刷要求とともに、削除後のページデータ５１を印刷要求手段３３へ転送する。
【００９７】
これにより、本実施形態に係る画像形成システム１は、Ｗｅｂページ１１において、ユーザ必要とする情報のみで構成されたページデータ５１を生成することができる。その結果、画像形成システム１は、必要とする情報のみで構成されたページデータ５１を画像形成装置２００で印刷することにより印刷結果の視認性が良く、不要な情報を印刷することによるトナーや紙資源の消費を低減することができる。
【００９８】
これまでに説明を行ってきたように、本実施形態に係る画像形成システム１は、Ｗｅｂページ１１に表示される画像に関する情報を定義する画像定義データ５１iに基づいて、所定の判定条件に従い、Ｗｅｂページ１１に不要な画像Ibが含まれているか否かを判定し、Ｗｅｂページ１１に不要な画像Ibがあった場合に、Ｗｅｂページ１１のページデータ５１から不要な画像Ibを定義する画像定義データ５１iを削除し、削除後のページデータ５１の印刷を画像形成装置２００に要求することにより、印刷結果の視認性が良く、印刷にかかるコストを低減するＷｅｂページ印刷支援機能を提供することができる
＜処理手順＞
ここからは、上記に説明を行った本実施形態に係る「Ｗｅｂページ印刷支援機能」の具体的な処理手順について図１１〜１８を用いて説明する。以下に説明する処理手順は、主に、画像形成システム１の構成要素である情報処理装置１００のＣＰＵ１０７で実行される不要画像削除プログラム３２で行われる手順である。
【００９９】
＜＜基本処理手順＞＞
図１１は、本発明の第１の実施形態に係るＷｅｂページ印刷支援機能の基本処理手順の一例を示すフローチャートである。
【０１００】
本実施形態に係る画像形成システム１は、情報処理装置１００において、アプリケーションソフトウェアＡＰからの印刷要求を受け付け（ステップＳ１０１）、印刷要求元判定手段４１により、印刷要求したアプリケーションソフトウェアが、Ｗｅｂブラウザ３１か否かを判定する（ステップＳ１０２）。
【０１０１】
情報処理装置１００は、印刷要求元判定手段４１により、印刷要求元がＷｅｂブラウザ３１でないと判定された場合（ステップＳ１０２がNOの場合）、ステップＳ１０４の処理手順に移行し、印刷対象となるアプリケーションデータを印刷要求手段３３へ転送する。
【０１０２】
また、印刷要求元判定手段４１により、印刷要求元がＷｅｂブラウザ３１であると判定された場合（ステップＳ１０２がYESの場合）、Ｗｅｂページ３１に表示される不要な画像Ibを削除する不要画像削除処理を実行し（ステップＳ１０３）、不要な画像Ibが削除されたＷｅｂページ１１のページデータ５１を印刷要求手段３３へ転送する。（ステップＳ１０４）。
【０１０３】
このように、本実施形態に係る画像形成システム１は、Ｗｅｂブラウザ３１からの印刷要求に対して、Ｗｅｂページ１１に表示される不要な画像Ibを削除し、必要な情報のみで構成されるＷｅｂページ１１のページデータ５１をプリンタドライバ３３へ転送して、印刷要求手段３３が生成した印刷データを画像形成装置１００によって印刷することで、印刷結果の視認性が良く、印刷にかかるコストを低減する「Ｗｅｂページ印刷支援機能」を実現している。
【０１０４】
以降に、図１１のステップＳ１０３の不要画像削除処理における不要な画像Ibの判定条件ごとの処理手順について説明を行う。
【０１０５】
＜＜不要画像削除処理（その１）＞＞
図１２は、本発明の第１の実施形態に係る不要画像削除処理の処理手順の一例（その１）を示すフローチャートである。図１２には、不要な画像Ibを判定するための判定条件が、図８を用いて説明を行った「a.全ての画像タグ（ＩＭＧタグ）を削除対象として判定する」場合の処理手順が示されている。
【０１０６】
情報処理装置１００は、印刷要求元判定手段４１により、印刷要求元がＷｅｂブラウザ３１であると判定された場合（ステップＳ１０２がYESの場合）、ページデータ取得手段４２により、Ｗｅｂブラウザ３１から印刷対象となるＷｅｂページ１１のページデータ５１を取得する（ステップＳ２０１）。
【０１０７】
情報処理装置１００は、画像定義データ検索手段４３により、画像タグ（ＩＭＧタグ）の文字列を検索キーに、ページデータ取得手段４２により取得したページデータ５１を検索し、ページデータ５１に含まれる画像定義データ５１iを抽出し、画像判定手段４４により、不要画像判定条件データ６１を参照し、「a.全ての画像タグ（ＩＭＧタグ）を削除対象として判定する」と言う判定条件に従って、抽出した画像定義データ５１i全てが削除対象と判定し、判定結果に基づいて、画像定義データ削除手段４５により、ページデータ５１に含まれる画像定義データ５１i全てを削除する（ステップＳ２０２）。その後、画像定義データ削除手段４５により、印刷要求手段３３へ削除後のページデータ５１を転送する。
【０１０８】
このように、本実施形態に係る画像形成システム１では、全ての画像を削除対象とするため、トナー消費の低減・紙資源の省資源化は最大限に行うことができる。しかし、上記処理手順では、ユーザにとって必要な画像まで削除対象としてしまう可能性がある。そこで、本実施形態に係る画像形成システム１では、以降の不要画像削除処理（その２）〜（その７）に示す判別条件により、削除する画像を絞ることができる。
【０１０９】
＜＜不要画像削除処理（その２）＞＞
図１３は、本発明の第１の実施形態に係る不要画像削除処理の処理手順の一例（その２）を示すフローチャートである。図１３には、不要な画像Ibを判定するための判定条件が「b.画像の横幅（ＷＩＤＴＨ属性）が所定の値である画像タグ（ＩＭＧタグ）を削除対象として判定する」場合の処理手順が示されている。
【０１１０】
情報処理装置１００は、印刷要求元判定手段４１により、印刷要求元がＷｅｂブラウザ３１であると判定された場合（ステップＳ１０２がYESの場合）、ページデータ取得手段４２により、Ｗｅｂブラウザ３１から印刷対象となるＷｅｂページ１１のページデータ５１を取得する（ステップＳ３０１）。
【０１１１】
情報処理装置１００は、画像定義データ検索手段４３により、画像タグ（ＩＭＧタグ）の文字列を検索キーに、ページデータ取得手段４２により取得したページデータ５１を検索し、ページデータ５１に含まれる画像定義データ５１iを抽出し、画像判定手段４４により、不要画像判定条件データ６１を参照し、「b.画像の横幅（ＷＩＤＴＨ属性）が所定の値である画像タグ（ＩＭＧタグ）を削除対象として判定する」と言う判定条件に従って、抽出した画像定義データ５１iに定義されている画像タグ（ＩＭＧタグ）の画像サイズの横幅を示す属性値が、予め設定しておいた所定の値（閾値）と一致するか否かを判定する（ステップＳ３０２）。
【０１１２】
情報処理装置１００は、画像判定手段４４により、画像サイズの横幅を示す属性値が所定の値（閾値）と一致すると判定された場合（ステップＳ３０２がYESの場合）、画像定義データ削除手段４５により、判定結果から特定された画像定義データ５１iをページデータ５１から削除する（ステップＳ３０４）。
【０１１３】
また、画像判定手段４４により、画像サイズの横幅を示す属性値が所定の値（閾値）と一致しないと判定された場合（ステップＳ３０２がNOの場合）、抽出した全ての画像定義データ５１iについて不要画像判定を行ったか否かを判定する（ステップＳ３０３）。
【０１１４】
その結果、情報処理装置１００は、全ての画像定義データ５１iについて不要画像判定を行ったと判定された場合（ステップＳ３０３がYESの場合）、印刷要求手段３３へ削除後のページデータ５１を転送する。
【０１１５】
また、全ての画像定義データ５１iについて不要画像判定を行っていないと判定された場合（ステップＳ３０３がNOの場合）、ステップＳ３０５の処理手順に移行し、次の画像定義データ５１iに対して不要画像判定を行う処理に進む（ステップＳ３０２へ移行）。
【０１１６】
広告画像などは横幅のみが統一されている場合が多い。このような場合、本実施形態に係る画像形成システム１では、上記処理手順に示す判定条件により、横幅が統一されている画像に対して効果的に不要画像削除処理を行うことができる。
【０１１７】
＜＜不要画像削除処理（その３）＞＞
図１４は、本発明の第１の実施形態に係る不要画像削除処理の処理手順の一例（その３）を示すフローチャートである。図１４には、不要な画像Ibを判定するための判定条件が「c.画像の縦幅（ＨＥＩＧＨＴ属性）が所定の値である画像タグ（ＩＭＧタグ）を削除対象として判定する」場合の処理手順が示されている。
【０１１８】
情報処理装置１００は、印刷要求元判定手段４１により、印刷要求元がＷｅｂブラウザ３１であると判定された場合（ステップＳ１０２がYESの場合）、ページデータ取得手段４２により、Ｗｅｂブラウザ３１から印刷対象となるＷｅｂページ１１のページデータ５１を取得する（ステップＳ４０１）。
【０１１９】
情報処理装置１００は、画像定義データ検索手段４３により、画像タグ（ＩＭＧタグ）の文字列を検索キーに、ページデータ取得手段４２により取得したページデータ５１を検索し、ページデータ５１に含まれる画像定義データ５１iを抽出し、画像判定手段４４により、不要画像判定条件データ６１を参照し、「c.画像の縦幅（ＨＥＩＧＨＴ属性）が所定の値である画像タグ（ＩＭＧタグ）を削除対象として判定する」と言う判定条件に従って、抽出した画像定義データ５１iに定義されている画像タグ（ＩＭＧタグ）の画像サイズの縦幅を示す属性値が、予め設定しておいた所定の値（閾値）と一致するか否かを判定する（ステップＳ４０２）。
【０１２０】
情報処理装置１００は、画像判定手段４４により、画像サイズの縦幅を示す属性値が所定の値（閾値）と一致すると判定された場合（ステップＳ４０２がYESの場合）、画像定義データ削除手段４５により、判定結果から特定された画像定義データ５１iをページデータ５１から削除する（ステップＳ４０４）。
【０１２１】
また、画像判定手段４４により、画像サイズの縦幅を示す属性値が所定の値（閾値）と一致しないと判定された場合（ステップＳ４０２がNOの場合）、抽出した全ての画像定義データ５１iについて不要画像判定を行ったか否かを判定する（ステップＳ４０３）。
【０１２２】
その結果、情報処理装置１００は、全ての画像定義データ５１iについて不要画像判定を行ったと判定された場合（ステップＳ４０３がYESの場合）、印刷要求手段３３へ削除後のページデータ５１を転送する。
【０１２３】
また、全ての画像定義データ５１iについて不要画像判定を行っていないと判定された場合（ステップＳ４０３がNOの場合）、ステップＳ４０５の処理手順に移行し、次の画像定義データ５１iに対して不要画像判定を行う処理に進む（ステップＳ４０２へ移行）。
【０１２４】
Ｗｅｂページ１１では、スペーサ（位置調整）として、縦幅のみを指定した画像を使用して画面レイアウトを調整する手法がある。こう言ったスペーサを使用する場合は、画面上のレイアウトの最適化であり、記録紙への印刷については考慮されていない。このような場合、本実施形態に係る画像形成システム１では、上記判定条件に従った処理手順により不要な画像IbをＷｅｂページ１１から削除することで、印刷結果の視認性が良く、印刷にかかるコストを低減することができる。
【０１２５】
＜＜不要画像削除処理（その４）＞＞
図１５は、本発明の第１の実施形態に係る不要画像削除処理の処理手順の一例（その４）を示すフローチャートである。図１５には、不要な画像Ibを判定するための判定条件が「d.画像の縦幅・横幅のどちらか一方（ＷＩＤＴＨ属性 or ＨＥＩＧＨＴ属性）が所定の値である画像タグ（ＩＭＧタグ）を削除対象として判定する」場合の処理手順が示されている。
【０１２６】
情報処理装置１００は、印刷要求元判定手段４１により、印刷要求元がＷｅｂブラウザ３１であると判定された場合（ステップＳ１０２がYESの場合）、ページデータ取得手段４２により、Ｗｅｂブラウザ３１から印刷対象となるＷｅｂページ１１のページデータ５１を取得する（ステップＳ５０１）。
【０１２７】
情報処理装置１００は、画像定義データ検索手段４３により、画像タグ（ＩＭＧタグ）の文字列を検索キーに、ページデータ取得手段４２により取得したページデータ５１を検索し、ページデータ５１に含まれる画像定義データ５１iを抽出し、画像判定手段４４により、不要画像判定条件データ６１を参照し、「d.画像の縦幅・横幅のどちらか一方（ＷＩＤＴＨ属性 or ＨＥＩＧＨＴ属性）が所定の値である画像タグ（ＩＭＧタグ）を削除対象として判定する」と言う判定条件に従って、抽出した画像定義データ５１iに定義されている画像タグ（ＩＭＧタグ）の画像サイズの横幅を示す属性値が、予め設定しておいた所定の値（閾値）と一致するか否かを判定する（ステップＳ５０２）。
【０１２８】
情報処理装置１００は、画像判定手段４４により、画像サイズの横幅を示す属性値が所定の値（閾値）と一致すると判定された場合（ステップＳ５０２がYESの場合）、画像定義データ削除手段４５により、判定結果から特定された画像定義データ５１iをページデータ５１から削除する（ステップＳ５０５）。
【０１２９】
また、画像判定手段４４により、画像サイズの横幅を示す属性値が所定の値（閾値）と一致しないと判定された場合（ステップＳ５０２がNOの場合）、抽出した画像定義データ５１iに定義されている画像タグ（ＩＭＧタグ）の画像サイズの縦幅を示す属性値が、予め設定しておいた所定の値（閾値）と一致するか否かを判定する（ステップＳ５０３）。
【０１３０】
情報処理装置１００は、画像判定手段４４により、画像サイズの縦幅を示す属性値が所定の値（閾値）と一致すると判定された場合（ステップＳ５０３がYESの場合）、画像定義データ削除手段４５により、判定結果から特定された画像定義データ５１iをページデータ５１から削除する（ステップＳ５０５）。
【０１３１】
また、画像判定手段４４により、画像サイズの縦幅を示す属性値が所定の値（閾値）と一致しないと判定された場合（ステップＳ５０３がNOの場合）、抽出した全ての画像定義データ５１iについて不要画像判定を行ったか否かを判定する（ステップＳ５０４）。
【０１３２】
その結果、情報処理装置１００は、全ての画像定義データ５１iについて不要画像判定を行ったと判定された場合（ステップＳ５０４がYESの場合）、印刷要求手段３３へ削除後のページデータ５１を転送する。
【０１３３】
また、全ての画像定義データ５１iについて不要画像判定を行っていないと判定された場合（ステップＳ５０４がNOの場合）、ステップＳ５０６の処理手順に移行し、次の画像定義データ５１iに対して不要画像判定を行う処理に進む（ステップＳ５０２へ移行）。
【０１３４】
このように、本実施形態に係る画像形成システム１では、不要画像削除処理（その３）及び（その４）における判定条件の両方に対応した判定条件に従った処理手順により、より多くの不要な画像Ibを削除することができる。
【０１３５】
＜＜不要画像削除処理（その５）＞＞
図１６は、本発明の第１の実施形態に係る不要画像削除処理の処理手順の一例（その５）を示すフローチャートである。図１６には、不要な画像Ibを判定するための判定条件が「e.画像の縦幅・横幅両方（ＷＩＤＴＨ属性 and ＨＥＩＧＨＴ属性）が所定の値である画像タグ（ＩＭＧタグ）を削除対象として判定する」場合の処理手順が示されている。
【０１３６】
情報処理装置１００は、印刷要求元判定手段４１により、印刷要求元がＷｅｂブラウザ３１であると判定された場合（ステップＳ１０２がYESの場合）、ページデータ取得手段４２により、Ｗｅｂブラウザ３１から印刷対象となるＷｅｂページ１１のページデータ５１を取得する（ステップＳ６０１）。
【０１３７】
情報処理装置１００は、画像定義データ検索手段４３により、画像タグ（ＩＭＧタグ）の文字列を検索キーに、ページデータ取得手段４２により取得したページデータ５１を検索し、ページデータ５１に含まれる画像定義データ５１iを抽出し、画像判定手段４４により、不要画像判定条件データ６１を参照し、「e.画像の縦幅・横幅両方（ＷＩＤＴＨ属性 and ＨＥＩＧＨＴ属性）が所定の値である画像タグ（ＩＭＧタグ）を削除対象として判定する」と言う判定条件に従って、抽出した画像定義データ５１iに定義されている画像タグ（ＩＭＧタグ）の画像サイズの横幅を示す属性値が、予め設定しておいた所定の値（閾値）と一致するか否かを判定する（ステップＳ６０２）。
【０１３８】
情報処理装置１００は、画像判定手段４４により、画像サイズの横幅を示す属性値が所定の値（閾値）と一致すると判定された場合（ステップＳ６０２がYESの場合）、更に、画像タグ（ＩＭＧタグ）の画像サイズの縦幅を示す属性値が、予め設定しておいた所定の値（閾値）と一致するか否かを判定する（ステップＳ６０３）。
【０１３９】
情報処理装置１００は、画像判定手段４４により、画像サイズの縦幅を示す属性値が所定の値（閾値）と一致すると判定された場合（ステップＳ６０３がYESの場合）、画像定義データ削除手段４５により、判定結果から特定された画像定義データ５１iをページデータ５１から削除する（ステップＳ６０４）。
【０１４０】
また、画像判定手段４４により、画像サイズの横幅又は縦幅を示す属性値がそれぞれの所定の値（閾値）と一致しないと判定された場合（ステップＳ６０２又はＳ６０３がNOの場合）、抽出した全ての画像定義データ５１iについて不要画像判定を行ったか否かを判定する（ステップＳ６０５）。
【０１４１】
その結果、情報処理装置１００は、全ての画像定義データ５１iについて不要画像判定を行ったと判定された場合（ステップＳ６０５がYESの場合）、印刷要求手段３３へ削除後のページデータ５１を転送する。
【０１４２】
また、全ての画像定義データ５１iについて不要画像判定を行っていないと判定された場合（ステップＳ６０５がNOの場合）、ステップＳ５０６の処理手順に移行し、次の画像定義データ５１iに対して不要画像判定を行う処理に進む（ステップＳ６０２へ移行）。
【０１４３】
Ｗｅｂページ１１に表示されるリンク用バナー広告などは、例えば、横200（pixel）×縦40（pixel）などのように大きさが固定されていることが多い。このような場合、本実施形態に係る画像形成システム１では、上記処理手順に示す判定条件により、縦幅及び横幅のサイズが固定された画像に対して効果的に不要画像削除処理を行うことができる。
【０１４４】
＜＜不要画像削除処理（その６）＞＞
図１７は、本発明の第１の実施形態に係る不要画像削除処理の処理手順の一例（その６）を示すフローチャートである。図１７には、不要な画像Ibを判定するための判定条件が「f.縦幅・横幅に関わらず、長辺（ＷＩＤＴＨ属性とＨＥＩＧＨＴ属性の数値が大きい方）が所定の値と一致しない画像タグ（ＩＭＧタグ）を削除対象として判定する」場合の処理手順が示されている。
【０１４５】
情報処理装置１００は、印刷要求元判定手段４１により、印刷要求元がＷｅｂブラウザ３１であると判定された場合（ステップＳ１０２がYESの場合）、ページデータ取得手段４２により、Ｗｅｂブラウザ３１から印刷対象となるＷｅｂページ１１のページデータ５１を取得する（ステップＳ７０１）。
【０１４６】
情報処理装置１００は、画像定義データ検索手段４３により、画像タグ（ＩＭＧタグ）の文字列を検索キーに、ページデータ取得手段４２により取得したページデータ５１を検索し、ページデータ５１に含まれる画像定義データ５１iを抽出し、画像判定手段４４により、不要画像判定条件データ６１を参照し、「f.縦幅・横幅に関わらず、長辺（ＷＩＤＴＨ属性とＨＥＩＧＨＴ属性の数値が大きい方）が所定の値と一致しない画像タグ（ＩＭＧタグ）を削除対象として判定する」と言う判定条件に従って、抽出した画像定義データ５１iに定義されている画像タグ（ＩＭＧタグ）の画像サイズの横幅を示す属性値と、縦幅の属性値とを比較し、横幅の属性値が縦幅の属性値以上の値か否かを判定する（ステップＳ７０２）。
【０１４７】
情報処理装置１００は、画像判定手段４４により、画像サイズの横幅を示す属性値が縦幅の属性値以上の値と判定された場合（ステップＳ７０２がYESの場合）、更に、画像タグ（ＩＭＧタグ）の画像サイズの横幅を示す属性値（画像サイズの長辺）が、予め設定しておいた所定の値（閾値）と一致するか否かを判定する（ステップＳ７０４）。
【０１４８】
情報処理装置１００は、画像判定手段４４により、画像サイズの横幅を示す属性値が所定の値（閾値）と一致しないと判定された場合（ステップＳ７０４がNOの場合）、画像定義データ削除手段４５により、判定結果から特定された画像定義データ５１iをページデータ５１から削除する（ステップＳ７０６）。
【０１４９】
また、情報処理装置１００は、画像判定手段４４により、画像サイズの横幅を示す属性値が縦幅の属性値より小さいと判定された場合（ステップＳ７０２がNOの場合）、更に、画像タグ（ＩＭＧタグ）の画像サイズの縦幅を示す属性値（画像サイズの長辺）が、予め設定しておいた所定の値（閾値）と一致するか否かを判定する（ステップＳ７０３）。
【０１５０】
情報処理装置１００は、画像判定手段４４により、画像サイズの縦幅を示す属性値が所定の値（閾値）と一致しないと判定された場合（ステップＳ７０３がNOの場合）、画像定義データ削除手段４５により、判定結果から特定された画像定義データ５１iをページデータ５１から削除する（ステップＳ７０６）。
【０１５１】
また、情報処理装置１００は、画像判定手段４４により、画像サイズの横幅又は縦幅を示す属性値がそれぞれの所定の値（閾値）と一致すると判定された場合（ステップＳ７０３又はＳ７０４がYESの場合）、抽出した全ての画像定義データ５１iについて不要画像判定を行ったか否かを判定する（ステップＳ７０５）。
【０１５２】
その結果、情報処理装置１００は、全ての画像定義データ５１iについて不要画像判定を行ったと判定された場合（ステップＳ７０５がYESの場合）、印刷要求手段３３へ削除後のページデータ５１を転送する。
【０１５３】
また、全ての画像定義データ５１iについて不要画像判定を行っていないと判定された場合（ステップＳ７０５がNOの場合）、ステップＳ７０７の処理手順に移行し、次の画像定義データ５１iに対して不要画像判定を行う処理に進む（ステップＳ７０２へ移行）。
【０１５４】
デジタルカメラによる画像は、ユーザが必要とする可能性が高い画像である。このような場合、本実施形態に係る画像形成システム１では、デジタルカメラによる画像を特定し、それ以外の画像を不要とし削除するような上記判定条件に従った処理手順により、デジタルカメラによる画像に対して効果的な不要画像削除処理を行うことができる。
【０１５５】
＜＜不要画像削除処理（その７）＞＞
図１８は、本発明の第１の実施形態に係る不要画像削除処理の処理手順の一例（その７）を示すフローチャートである。図１８には、不要な画像Ibを判定するための判定条件が「g.縦幅・横幅に関わらず、短辺（ＷＩＤＴＨ属性とＨＥＩＧＨＴ属性の数値が小さい方）が所定の値と一致しない画像タグ（ＩＭＧタグ）を削除対象として判定する」場合の処理手順が示されている。
【０１５６】
情報処理装置１００は、印刷要求元判定手段４１により、印刷要求元がＷｅｂブラウザ３１であると判定された場合（ステップＳ１０２がYESの場合）、ページデータ取得手段４２により、Ｗｅｂブラウザ３１から印刷対象となるＷｅｂページ１１のページデータ５１を取得する（ステップＳ８０１）。
【０１５７】
情報処理装置１００は、画像定義データ検索手段４３により、画像タグ（ＩＭＧタグ）の文字列を検索キーに、ページデータ取得手段４２により取得したページデータ５１を検索し、ページデータ５１に含まれる画像定義データ５１iを抽出し、画像判定手段４４により、不要画像判定条件データ６１を参照し、「g.縦幅・横幅に関わらず、短辺（ＷＩＤＴＨ属性とＨＥＩＧＨＴ属性の数値が小さい方）が所定の値と一致しない画像タグ（ＩＭＧタグ）を削除対象として判定する」と言う判定条件に従って、抽出した画像定義データ５１iに定義されている画像タグ（ＩＭＧタグ）の画像サイズの横幅を示す属性値と、縦幅の属性値とを比較し、横幅の属性値が縦幅の属性値以上の値か否かを判定する（ステップＳ８０２）。
【０１５８】
情報処理装置１００は、画像判定手段４４により、画像サイズの横幅を示す属性値が縦幅の属性値以上の値と判定された場合（ステップＳ８０２がYESの場合）、更に、画像タグ（ＩＭＧタグ）の画像サイズの縦幅を示す属性値（画像サイズの長辺）が、予め設定しておいた所定の値（閾値）と一致するか否かを判定する（ステップＳ８０４）。
【０１５９】
情報処理装置１００は、画像判定手段４４により、画像サイズの縦幅を示す属性値が所定の値（閾値）と一致しないと判定された場合（ステップＳ８０４がNOの場合）、画像定義データ削除手段４５により、判定結果から特定された画像定義データ５１iをページデータ５１から削除する（ステップＳ８０６）。
【０１６０】
また、情報処理装置１００は、画像判定手段４４により、画像サイズの横幅を示す属性値が縦幅の属性値より小さいと判定された場合（ステップＳ８０２がNOの場合）、更に、画像タグ（ＩＭＧタグ）の画像サイズの横幅を示す属性値（画像サイズの長辺）が、予め設定しておいた所定の値（閾値）と一致するか否かを判定する（ステップＳ８０３）。
【０１６１】
情報処理装置１００は、画像判定手段４４により、画像サイズの横幅を示す属性値が所定の値（閾値）と一致しないと判定された場合（ステップＳ８０３がNOの場合）、画像定義データ削除手段４５により、判定結果から特定された画像定義データ５１iをページデータ５１から削除する（ステップＳ８０６）。
【０１６２】
また、情報処理装置１００は、画像判定手段４４により、画像サイズの横幅又は縦幅を示す属性値がそれぞれの所定の値（閾値）と一致すると判定された場合（ステップＳ８０３又はＳ８０４がYESの場合）、抽出した全ての画像定義データ５１iについて不要画像判定を行ったか否かを判定する（ステップＳ８０５）。
【０１６３】
その結果、情報処理装置１００は、全ての画像定義データ５１iについて不要画像判定を行ったと判定された場合（ステップＳ８０５がYESの場合）、印刷要求手段３３へ削除後のページデータ５１を転送する。
【０１６４】
また、全ての画像定義データ５１iについて不要画像判定を行っていないと判定された場合（ステップＳ７０５がNOの場合）、ステップＳ８０７の処理手順に移行し、次の画像定義データ５１iに対して不要画像判定を行う処理に進む（ステップＳ８０２へ移行）。
【０１６５】
このように、本実施形態に係る画像形成システム１では、不要画像削除処理（その６）で用いた判定条件によりデジタルカメラによる画像として判定できないような、例えばパノラマ写真画像などに対しても、上記判定条件に従った処理手順により、効果的な不要画像削除処理を行うことができる。
【０１６６】
＜まとめ＞
以上のように、本発明の第１の実施形態によれば、本実施形態に係る画像形成システム１は、「Ｗｅｂページ印刷支援機能」を以下の手順により実現している。
【０１６７】
（手順１）印刷要求元の確認
本実施形態に係る情報処理装置１００は、まず、印刷要求元判定手段４１により、不要画像削除プログラム３２で受け付けた印刷要求が、Ｗｅｂブラウザ３１から要求されたものか否かを確認する。
【０１６８】
（手順２）ページデータの取得
情報処理装置１００は、印刷要求元判定手段４１により印刷要求元がＷｅｂブラウザ３１であると判定した場合に、ページデータ取得手段４２により、Ｗｅｂブラウザ３１から印刷対象となるＷｅｂページ１１のページデータ５１を取得する。
【０１６９】
（手順３）画像定義データの抽出
情報処理装置１００は、画像定義データ検索手段４３により、画像タグ（ＩＭＧタグ）などの文字列を検索キーに、ページデータ取得手段４２により取得したページデータ５１を検索し、該当した画像定義データ５１iを抽出する。
【０１７０】
（手順４）不要画像の判定と不要画像定義データの特定
情報処理装置１００は、画像判定手段４４により、画像定義データ検索手段４３により抽出した画像定義データ５１iに基づいて、Ｗｅｂページ１１に不要な画像Ibが含まれているか否かを判定する。このとき、画像判定手段４４は、ＨＤＤ１０９に格納された不要画像判定条件データ６１を参照し、判定条件設定手段４６により選択・設定された判定条件に従って、不要な画像Ibが含まれているか否かを判定する。
【０１７１】
（手順５）不要画像定義データの削除
情報処理装置１００は、画像判定手段４４によりＷｅｂページ１１に不要な画像Ibが含まれていると判定した場合に、画像定義データ削除手段４５により、抽出した画像定義データ５１iの中から特定した不要な画像Ibを定義する画像定義データ５１iをページデータ５１から削除する。画像定義データ削除手段４５は、削除後のページデータ５１を印刷要求手段３３に転送する。
【０１７２】
（手順６）印刷データの生成と送信
情報処理装置１００は、印刷要求手段３３により、画像定義データ削除手段４５から転送されたＷｅｂページ１１のページデータ５１を基に、印刷条件などの設定に従って印刷データを生成し、生成した印刷データを画像形成装置２００へ送信する。
【０１７３】
このように、本実施形態に係る画像形成システム１、上記（手順１）〜（手順６）によって、Ｗｅｂページ１１に表示される画像に関する情報を定義する画像定義データ５１iに基づいて、所定の判定条件に従い、Ｗｅｂページ１１に不要な画像Ibが含まれているか否かを判定し、Ｗｅｂページ１１に不要な画像Ibがあった場合に、Ｗｅｂページ１１のページデータ５１から不要な画像Ibを定義する画像定義データ５１iを削除し、削除後のページデータ５１の印刷を画像形成装置２００に要求する。
【０１７４】
よって、本実施形態に係る画像形成システム１は、Ｗｅｂページ印刷において、印刷結果の視認性が良く、印刷にかかるコストを低減することができる「Ｗｅｂページ印刷支援機能」を提供することができる。
【０１７５】
［第２の実施形態］
本実施形態に係る画像形成システム１は、画像定義データ５１iに定義されている画像データの格納先を示す格納先情報５１iaや画像内容の説明や画像データ名などを示す画像情報５１icを判定条件として不要画像判定処理を行う「Ｗｅｂページ印刷支援機能」を有するシステムである。
【０１７６】
第１の実施形態に係る画像形成システム１では、画像定義データ５１iに定義されている画像に関する情報のうち、画像サイズの横幅及び縦幅を示す画像サイズ情報５１ibを判定条件として不要画像削除処理を行っていた。
【０１７７】
そこで、本実施形態では、第１の実施形態において説明を行った判定条件に加えて、画像定義データ５１iに定義されている画像データの格納先を示す格納先情報５１iaや画像内容の説明や画像データ名などを示す画像情報５１icを判定条件としている。
【０１７８】
以降に、本実施形態に係る画像形成システム１について、図１９〜２２を用いて説明する。また、第１の実施形態と同様の技術的事項については、第１の実施形態で説明を行った図面及び参照符号を用いて本実施形態においての説明を省略する。
【０１７９】
＜Ｗｅｂページ印刷支援機能の詳細＞
本実施形態に係る情報処理装置１００が有する「Ｗｅｂページ印刷支援機能」について、図１９〜２１を用いて詳細に説明する。
【０１８０】
＜＜データ構成＞＞
［不要画像判定条件データ］
図１９は、本発明の第２の実施形態に係る不要画像判定条件データ６１のデータ構造の一例を示す図である。
【０１８１】
本実施形態に係る不要画像判定条件データ６１は、図１９に示すような、不要な画像Ibを判定するときの判定条件の内容を示す判定条件情報と判定条件に該当する画像の画像定義データを削除するか否かを示す削除有無情報とから構成され、ＨＤＤ１０９の所定の記憶領域に格納されている。図１９には、「ページデータ５１に含まれる画像定義データ５１i全てを削除するか否か」の判定条件６１aと、「画像サイズの横幅及び／又は縦幅に基づいて該当する画像定義データ５１iを削除するか否か」の判定条件６１bの２種類の判定条件に加えて、「画像データの格納先に基づいて該当する画像定義データ５１iを削除するか否か」の判定条件６１cと、「画像の説明や画像データ名などに基づいて該当する画像定義データ５１iを削除するか否か」の判定条件６１dの合計４種類で構成されたデータ構成例が示されている。図１９に示す不要画像判定条件データ６１のより具体的な内容は、以下に示す通りである。
【０１８２】
（不要画像の判定条件例）
a.全ての画像タグ（ＩＭＧタグ）を削除対象として判定する
b.画像の横幅（ＷＩＤＴＨ属性）が所定の値である画像タグ（ＩＭＧタグ）を削除対象として判定する
c.画像の縦幅（ＨＥＩＧＨＴ属性）が所定の値である画像タグ（ＩＭＧタグ）を削除対象として判定する
d.画像の縦幅・横幅のどちらか一方（ＷＩＤＴＨ属性 or ＨＥＩＧＨＴ属性）が所定の値である画像タグ（ＩＭＧタグ）を削除対象として判定する
e.画像の縦幅・横幅両方（ＷＩＤＴＨ属性 and ＨＥＩＧＨＴ属性）が所定の値である画像タグ（ＩＭＧタグ）を削除対象として判定する
f.縦幅・横幅に関わらず、長辺（ＷＩＤＴＨ属性とＨＥＩＧＨＴ属性の数値が大きい方）が所定の値と一致しない画像タグ（ＩＭＧタグ）を削除対象として判定する
g.縦幅・横幅に関わらず、短辺（ＷＩＤＴＨ属性とＨＥＩＧＨＴ属性の数値が小さい方）が所定の値と一致しない画像タグ（ＩＭＧタグ）を削除対象として判定する
h.印刷対象であるＷｅｂページ１１のページデータ５１が格納されているホストアドレスと、画像データが格納されているホストアドレスが一致しない（画像タグ（ＩＭＧタグ）の指定アドレスが相対アドレスでない（アドレスに文字列"http://"を含む場合））画像タグ（ＩＭＧタグ）を削除対象として判定する
i.ＡＬＴ属性が所定の文字列である画像タグ（ＩＭＧタグ）を削除対象として判別する
上記「所定の値」は、不要な画像であるか否かを判定するための閾値として予め設定しておいた値である。また、上記「所定の文字列」は、不要な画像Ibを判定するキーワード（例えば、「広告」や「adv」など。）として予め設定しておいた値である。
【０１８３】
＜＜Ｗｅｂページ印刷支援機能を実現する手段＞＞
以降に、本実施形態に係る「Ｗｅｂページ印刷支援機能」を実現する主要な手段のうち、第１の実施形態と異なる判定条件設定手段４６について、図２０を用いて説明する。
【０１８４】
［不要画像判定条件データの設定・更新］
本実施形態に係る画像形成システム１は、不要画像判定条件データ６１の削除有無情報を設定・更新する判定条件設定手段４６を有している。
【０１８５】
図２０は、本発明の第２の実施形態に係る不要画像判定条件を選択する選択画面７１の一例を示す図であり、図２１は、本発明の第１の実施形態に係る選択された不要画像判定条件の一例を示す図である。
【０１８６】
判定条件設定手段４６は、例えば、図２０に示すような判定条件を選択設定可能なＧＵＩ機能をもつ選択画面７１を介してユーザからの判定条件選択結果を受け付け、受け付けた選択結果を基に、ＨＤＤ１０９に格納されている不要画像判定条件データ６１の削除有無情報を更新する。本実施形態では、図２０に示すように、選択画面７１から条件３の「画像データの格納先に基づいて不要画像を判定する」と言う種類の判定条件６１cと条件４の「画像の内容や画像データ名などの文字列に基づいて不要画像を判定する」と言う種類の判定条件６１dとが選択可能となっている。
【０１８７】
よって、判定条件設定手段４６は、図２０に示す選択画面７１の場合に、ユーザが、条件３の「画像データの格納先に基づいて不要画像を判定する」と言う種類の判定条件６１cが選択され（図中の黒丸）、選択画面７１の確定ボタンＢが押下されると、選択された判定条件の結果を受け付け、ＨＤＤ１０９に格納された不要画像判定条件データ６１を参照する。その結果、受け付けた選択結果を基に、該当する判定条件を判定条件情報から特定し、該当する判定条件情報に対応する削除有無情報を「削除しない」から「削除する」へ変更し、データを更新する。図２１には、図２０に示す選択画面７１において選択・設定した判定条件に従って、判定条件設定手段４６により更新された不要画像判定条件データ６１のデータ構成例が示されており、図中の破線枠６１sに示すデータ領域の削除有無情報が「削除する」へ更新されている。
【０１８８】
このように、本実施形態に係る画像形成システム１では、判定条件設定手段４６により、ユーザが、Ｗｅｂページに含まれる不要な画像Ibを判定するときに用いる判定条件として、画像定義データ５１iに定義されている画像データの格納先情報５１iaや画像内容の説明や画像データ名などを示す画像情報５１icを用いる判定条件を選択・設定することができる。その結果、より精度の高い不要画像削除処理を行うことができる。
【０１８９】
＜処理手順＞
ここからは、本実施形態に係る「Ｗｅｂページ印刷支援機能」の不要画像削除処理の具体的な処理手順について図２２及び図２３を用いて説明する。以下に説明する処理手順は、第１の実施形態と同様に、画像形成システム１の構成要素である情報処理装置１００のＣＰＵ１０７で実行される不要画像削除プログラム３２で行われる手順である。
【０１９０】
＜＜不要画像削除処理（その１）＞＞
図２２は、本発明の第２の実施形態に係る不要画像削除処理の処理手順の一例（その１）を示すフローチャートである。図２２には、不要な画像Ibを判定するための判定条件が「h.印刷対象であるＷｅｂページ１１のページデータ５１が格納されているホストアドレスと、画像データが格納されているホストアドレスが一致しない（画像タグ（ＩＭＧタグ）の指定アドレスが相対アドレスでない）画像タグ（ＩＭＧタグ）を削除対象として判定する」場合の処理手順が示されている。
【０１９１】
情報処理装置１００は、印刷要求元判定手段４１により、印刷要求元がＷｅｂブラウザ３１であると判定された場合（ステップＳ１０２がYESの場合）、ページデータ取得手段４２により、Ｗｅｂブラウザ３１から印刷対象となるＷｅｂページ１１のページデータ５１を取得する（ステップＳ９０１）。
【０１９２】
情報処理装置１００は、画像定義データ検索手段４３により、画像タグ（ＩＭＧタグ）の文字列を検索キーに、ページデータ取得手段４２により取得したページデータ５１を検索し、ページデータ５１に含まれる画像定義データ５１iを抽出し、画像判定手段４４により、不要画像判定条件データ６１を参照し、「h.印刷対象であるＷｅｂページ１１のページデータ５１が格納されているホストアドレスと、画像データが格納されているホストアドレスが一致しない（画像タグ（ＩＭＧタグ）の指定アドレスが相対アドレスでない）画像タグ（ＩＭＧタグ）を削除対象として判定する」と言う判定条件に従って、抽出した画像定義データ５１iに定義されている画像タグ（ＩＭＧタグ）の画像データの格納先を示す格納先情報５１iaが相対アドレスか否かを判定する（ステップＳ９０２）。
【０１９３】
情報処理装置１００は、画像判定手段４４により、画像データの格納先を示す格納先情報５１iaが相対アドレスでない（文字列"http://"を含む）と判定された場合（ステップＳ９０２がYESの場合）、画像定義データ削除手段４５により、判定結果から特定された画像定義データ５１iをページデータ５１から削除する（ステップＳ９０４）。
【０１９４】
また、画像判定手段４４により、画像データの格納先を示す格納先情報５１iaが相対アドレスである（文字列"http://"を含まない）と判定された場合（ステップＳ９０２がNOの場合）、抽出した全ての画像定義データ５１iについて不要画像判定を行ったか否かを判定する（ステップＳ９０３）。
【０１９５】
その結果、情報処理装置１００は、全ての画像定義データ５１iについて不要画像判定を行ったと判定された場合（ステップＳ９０３がYESの場合）、印刷要求手段３３へ削除後のページデータ５１を転送する。
【０１９６】
また、全ての画像定義データ５１iについて不要画像判定を行っていないと判定された場合（ステップＳ９０３がNOの場合）、ステップＳ９０５の処理手順に移行し、次の画像定義データ５１iに対して不要画像判定を行う処理に進む（ステップＳ９０２へ移行）。
【０１９７】
Ｗｅｂページ１１の内容に関連する画像Iaであれば、その画像Iaは、Ｗｅｂページ１１の他のコンテンツと同一情報提供元（同一のホストアドレス）に格納されている場合が多く、また、逆に広告画像などのような関連のない画像Ibであれば、広告会社などのような関連する画像Iaの情報提供元とは異なるホストアドレスである場合が多い。このことから、本実施形態に係る画像形成システム１では、上記処理手順に示す判定条件により、Ｗｅｂページ１１の内容に関連する画像Iaとそれ以外の不要な画像Ibとを精度良く判断し、効果的に不要画像削除処理を行うことができる。
【０１９８】
＜＜不要画像削除処理（その２）＞＞
図２３は、本発明の第２の実施形態に係る不要画像削除処理の処理手順の一例（その２）を示すフローチャートである。図２３には、不要な画像Ibを判定するための判定条件が「i.ＡＬＴ属性が所定の文字列である画像タグ（ＩＭＧタグ）を削除対象として判別する」場合の処理手順が示されている。
【０１９９】
情報処理装置１００は、印刷要求元判定手段４１により、印刷要求元がＷｅｂブラウザ３１であると判定された場合（ステップＳ１０２がYESの場合）、ページデータ取得手段４２により、Ｗｅｂブラウザ３１から印刷対象となるＷｅｂページ１１のページデータ５１を取得する（ステップＳ１００１）。
【０２００】
情報処理装置１００は、画像定義データ検索手段４３により、画像タグ（ＩＭＧタグ）の文字列を検索キーに、ページデータ取得手段４２により取得したページデータ５１を検索し、ページデータ５１に含まれる画像定義データ５１iを抽出し、画像判定手段４４により、不要画像判定条件データ６１を参照し、「i.ＡＬＴ属性が所定の文字列である画像タグ（ＩＭＧタグ）を削除対象として判別する」と言う判定条件に従って、抽出した画像定義データ５１iに定義されている画像タグ（ＩＭＧタグ）の画像内容の説明や画像データ名などを示す画像情報５１icが、予め設定したおいた文字列（判定キーワード）と一致するか否かを判定する（ステップＳ１００２）。
【０２０１】
情報処理装置１００は、画像判定手段４４により、画像内容の説明や画像データ名などを示す画像情報５１icが文字列（判定キーワード）と一致すると判定された場合（ステップＳ１００２がYESの場合）、画像定義データ削除手段４５により、判定結果から特定された画像定義データ５１iをページデータ５１から削除する（ステップＳ１００４）。
【０２０２】
また、画像判定手段４４により、画像内容の説明や画像データ名などを示す画像情報５１icが文字列（判定キーワード）と一致しないと判定された場合（ステップＳ１００２がNOの場合）、抽出した全ての画像定義データ５１iについて不要画像判定を行ったか否かを判定する（ステップＳ１００３）。
【０２０３】
その結果、情報処理装置１００は、全ての画像定義データ５１iについて不要画像判定を行ったと判定された場合（ステップＳ１００３がYESの場合）、印刷要求手段３３へ削除後のページデータ５１を転送する。
【０２０４】
また、全ての画像定義データ５１iについて不要画像判定を行っていないと判定された場合（ステップＳ１００３がNOの場合）、ステップＳ１００５の処理手順に移行し、次の画像定義データ５１iに対して不要画像判定を行う処理に進む（ステップＳ１００２へ移行）。
【０２０５】
画像タグ（ＩＭＧタグ）では、ＡＬＴ属性に、画像の内容を説明や画像データ名、あるいは画像を非表示としたときに代替情報として表示するなどのテキスト（任意の文字列）が定義されている場合がある。このことから、本実施形態に係る画像形成システム１では、上記処理手順に示す判定条件により、Ｗｅｂページ１１の内容に関連する画像Iaとそれ以外の不要な画像Ibとを精度良く判断し、効果的に不要画像削除処理を行うことができる。
【０２０６】
＜まとめ＞
以上のように、本発明の第２の実施形態によれば、本実施形態に係る画像形成システム１は、Ｗｅｂページ１１に表示される画像に関する情報を定義する画像定義データ５１iに基づいて、所定の判定条件に従い、Ｗｅｂページ１１に不要な画像Ibが含まれているか否かを判定し、Ｗｅｂページ１１に不要な画像Ibがあった場合に、Ｗｅｂページ１１のページデータ５１から不要な画像Ibを定義する画像定義データ５１iを削除し、削除後のページデータ５１の印刷を画像形成装置２００に要求することができる。
【０２０７】
よって、本実施形態に係る画像形成システム１は、Ｗｅｂページ印刷において、印刷結果の視認性が良く、印刷にかかるコストを低減することができる「Ｗｅｂページ印刷支援機能」を提供することができる。
【０２０８】
＜変形例＞
ここからは、第１及び第２の実施形態の変形例について、図２４〜２７を用いて説明する。図２４は、本発明の変形例に係る不要画像判定条件を選択する選択画面７１の一例を示す図である。
【０２０９】
これまで各実施形態では、例えば、図９及び図２０に示すようなＧＵＩ機能をもつ選択画面７１を介して、不要画像判定条件データ６１の各判定条件を選択すると言う判定条件の設定方法について説明を行った。
【０２１０】
本変形例では、別の判定条件の設定例として、図２４に示すようなＧＵＩ機能をもつ選択画面７１を用いることで、Ｗｅｂページ１１から不要な画像Ibを削除するレベルを３段階に分け、よりユーザが、直感的に設定可能なインタフェースを提供することができる。
【０２１１】
例えば、図２４に示す選択画面７１の選択項目「不要画像の削除レベル：高」が選択された場合、判定条件設定手段４６により、図２５の破線枠６１sに示すような「全ての画像を削除する」と言う判定条件が設定される。すなわち、判定条件設定手段４６が、ユーザの選択した削除レベルに応じて、削除対象とする画像候補が多くなるような判定条件を設定する。
【０２１２】
同様に、選択画面７１の選択項目「不要画像の削除レベル：中」が選択された場合、判定条件設定手段４６により、図２６の破線枠６１sに示すような「画像サイズの横幅及び／又は縦幅に基づいて画像を削除する」と言う判定条件が設定され、選択項目「不要画像の削除レベル：低」が選択された場合、判定条件設定手段４６により、図２７の破線枠６１sに示すような「画像データの格納先や画像の内容説明などに基づいて画像を削除する」と言う判定条件が設定される。
【０２１３】
このように、本変形例では、判定条件設定手段４６により、ユーザが直感的に選択した削除レベルと不要画像判定条件データ６１の判定条件とが適切に関連付けられて設定されることで、Ｗｅｂページ印刷において、ユーザがより簡便に不要画像削除の判定条件を設定することが可能で、印刷結果の視認性が良く、印刷にかかるコストを低減することができる「Ｗｅｂページ印刷支援機能」を提供することができる。
【０２１４】
更に、次のような変形例も考えられる。Ｗｅｂページ印刷において、各実施形態に挙げた例より、更に精度良く必要な情報だけを印刷したいというユーザを想定し、Ｗｅｂブラウザ３１に表示された内容を基に、ユーザ自身がマウスなどのポインティングデバイスなどによって、削除したい画像を表示画面上で選択可能な選択画面（インタフェース）を提供する。その結果、画像形成システム１では、画像定義データ削除手段４５により、選択画面（インタフェース）を介して受け取った削除対象となる画像情報に基づいて、該当する画像定義データ５１iを印刷対象であるＷｅｂページ１１のページデータ５１から削除することで、Ｗｅｂページ印刷において、ユーザがより正確に削除対象となる不要な画像Ibを指示することが可能で、印刷結果の視認性が良く、印刷にかかるコストを低減することができる「Ｗｅｂページ印刷支援機能」を提供することができる。
【０２１５】
第１及び第２の実施形態に基づき本発明の説明を行ってきたが、本発明の各実施形態に係る画像形成システム１が有する「Ｗｅｂページ印刷支援機能」は、図１１〜図１８、図２２、図２３に示した各処理手順を、それぞれの動作環境（プラットフォーム）にあったプログラミング言語でコード化したプログラムとしてコンピュータで実行することで実現することができる。よって、本発明の各実施形態に係る画像形成システム１が有する不要画像削除処理を含むＷｅｂページ印刷支援プログラムは、コンピュータが読み取り可能な記憶媒体１０４に格納することができる。
【０２１６】
よって、各実施形態に係るＷｅｂページ印刷支援プログラムは、フロッピー（登録商標）ディスク、ＣＤ（Compact Disc）、ＤＶＤ（Digital Versatile Disk）などの記録媒体１０４に記憶させることによって、これらの記憶媒体１０４を読み取り可能なドライブ装置１０３に接続された記録媒体１０４から、画像形成システム１の構成要素である情報処理装置１００にインストールすることができる。また、情報処理装置１００は、インタフェース装置１０８を有していることから、インターネットを用いてＷｅｂページ印刷支援プログラムをダウンロードし、インストールすることもできる。
【０２１７】
最後に、上記各実施形態に挙げた形状に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【図面の簡単な説明】
【０２１８】
【図１】本発明の第１の実施形態に係る画像形成システムのシステム構成の一例を示す図である。
【図２】本発明の第１の実施形態に係る情報処理装置のハードウェア構成の一例を示す図である。
【図３】本発明の第１の実施形態に係る画像形成装置のハードウェア構成の一例を示す図である。
【図４】本発明の第１の実施形態に係る画像形成システムのソフトウェア構成の一例を示す図である。
【図５】本発明の第１の実施形態に係る画像形成システムが有するＷｅｂページ印刷支援機能を実現する手段の一例を示す図である。
【図６】本発明の第１の実施形態に係るＷｅｂページを表示した表示画面の一例を示す図である。
【図７】本発明の第１の実施形態に係るページデータと画像定義データのデータ構造の一例を示す図である。
【図８】本発明の第１の実施形態に係る不要画像判定条件データのデータ構造の一例を示す図である。
【図９】本発明の第１の実施形態に係る不要画像判定条件を選択する選択画面の一例を示す図である。
【図１０】本発明の第１の実施形態に係る選択された不要画像判定条件の一例を示す図である。
【図１１】本発明の第１の実施形態に係るＷｅｂページ印刷支援機能の基本処理手順の一例を示すフローチャートである。
【図１２】本発明の第１の実施形態に係る不要画像削除処理の処理手順の一例（その１）を示すフローチャートである。
【図１３】本発明の第１の実施形態に係る不要画像削除処理の処理手順の一例（その２）を示すフローチャートである。
【図１４】本発明の第１の実施形態に係る不要画像削除処理の処理手順の一例（その３）を示すフローチャートである。
【図１５】本発明の第１の実施形態に係る不要画像削除処理の処理手順の一例（その４）を示すフローチャートである。
【図１６】本発明の第１の実施形態に係る不要画像削除処理の処理手順の一例（その５）を示すフローチャートである。
【図１７】本発明の第１の実施形態に係る不要画像削除処理の処理手順の一例（その６）を示すフローチャートである。
【図１８】本発明の第１の実施形態に係る不要画像削除処理の処理手順の一例（その７）を示すフローチャートである。
【図１９】本発明の第２の実施形態に係る不要画像判定条件データのデータ構造の一例を示す図である。
【図２０】本発明の第２の実施形態に係る不要画像判定条件を選択する選択画面の一例を示す図である。
【図２１】本発明の第１の実施形態に係る選択された不要画像判定条件の一例を示す図である。
【図２２】本発明の第２の実施形態に係る不要画像削除処理の処理手順の一例（その１）を示すフローチャートである。
【図２３】本発明の第２の実施形態に係る不要画像削除処理の処理手順の一例（その２）を示すフローチャートである。
【図２４】本発明の変形例に係る不要画像判定条件を選択する選択画面の一例を示す図である。
【図２５】本発明の変形例に係る選択された不要画像判定条件の一例（その１）を示す図である。
【図２６】本発明の変形例に係る選択された不要画像判定条件の一例（その２）を示す図である。
【図２７】本発明の変形例に係る選択された不要画像判定条件の一例（その３）を示す図である。
【符号の説明】
【０２１９】
１１  Ｗｅｂページ
２１  操作パネル
２２  記録メディアＩ／Ｆ
２３  コントローラ
２４  データ通信Ｉ／Ｆ
２５  スキャナ
２６  プロッタ
３１  Ｗｅｂブラウザ
３２  不要画像削除プログラム
３３  プリンタドライバ（印刷要求手段）
４１  印刷要求元判定手段
４２  ページデータ取得手段
４３  画像定義データ検索手段
４４  画像判定手段
４５  画像定義データ削除手段
４６  判定条件設定手段
５１  ページデータ（ＨＴＭＬデータなど）
６１  不要画像判定条件データ
７１  判定条件選択画面
８１  ポインタ
９０  データ伝送路（ＵＳＢケーブルやネットワークケーブルなど）
１００  情報処理装置
１０１  入力装置
１０２  表示装置（表示手段）
１０３  ドライブ装置
１０４  記録媒体
１０５  ＲＯＭ
１０６  ＲＡＭ
１０７  ＣＰＵ
１０８  インタフェース装置
１０９  ＨＤＤ
２００  画像形成装置
２０１  入力装置
２０２  表示装置
２０３  ドライブ装置
２０４  記録媒体
２０５  ＲＯＭ
２０６  ＲＡＭ
２０７  ＣＰＵ
２０８  インタフェース装置
２０９  ＨＤＤ
２１０  画像読取装置（スキャナ装置）
２１１  印刷装置（プロッタ装置）
【図１】
2009070169.tif 000003
【図２】
2009070169.tif 000004
【図３】
2009070169.tif 000005
【図４】
2009070169.tif 000006
【図５】
2009070169.tif 000007
【図６】
2009070169.tif 000008
【図７】
2009070169.tif 000009
【図８】
2009070169.tif 000010
【図９】
2009070169.tif 000011
【図１０】
2009070169.tif 000012
【図１１】
2009070169.tif 000013
【図１２】
2009070169.tif 000014
【図１３】
2009070169.tif 000015
【図１４】
2009070169.tif 000016
【図１５】
2009070169.tif 000017
【図１６】
2009070169.tif 000018
【図１７】
2009070169.tif 000019
【図１８】
2009070169.tif 000020
【図１９】
2009070169.tif 000021
【図２０】
2009070169.tif 000022
【図２１】
2009070169.tif 000023
【図２２】
2009070169.tif 000024
【図２３】
2009070169.tif 000025
【図２４】
2009070169.tif 000026
【図２５】
2009070169.tif 000027
【図２６】
2009070169.tif 000028
【図２７】
2009070169.tif 000029